(57)【要約】【課題】  弁体の戻り動作に影響を与えることなく、流体の流量が少量でも弁体が電極から確実に離間できるようにして、流動検知の信頼性の向上を図る。【解決手段】  流体が通過可能な流体空間Ｅを有した本体１０に、流体の供給開口１２及び吐出開口１５を形成し、本体１０の供給開口１２の開口縁１２ａ及び／または開口縁１２ａの周囲部１２ｂに接点部Ｔを有した一方電極Ｄａを設け、本体１０に他方電極Ｄｂを設け、供給開口１２を開閉する導電体からなる弁体４０、及び、弁体４０を付勢する導電体からなるコイルスプリング４１を収納し、弁体４０に、供給開口１２から吐出開口１５に至る流体の流路を確保して流体空間Ｅを摺動可能に形成されるとともに、流体空間Ｅの一端面に対峙して供給開口１２からの流体を受ける受面５１を有し且つ流体空間の他端面に対峙する天面５２を有した絶縁体からなるガイド部材５０を付設した。【選択図】図２
2018085317.tif 000002
【特許請求の範囲】
【請求項１】
流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする弁体を収納し、該流体空間内に上記弁体を上記供給開口を閉にする方向に常時付勢するコイルスプリングを収納し、上記弁体の開閉を検出することにより、流体の流動を検知できるようにした流体の流動検知装置において、
上記弁体に、上記供給開口から吐出開口に至る流体の流路を確保して上記流体空間の円筒内面を摺動可能に形成されるとともに該流体空間の一端面に対峙して上記供給開口からの流体を受ける受面を有し且つ上記流体空間の他端面に対峙する天面を有したガイド部材を付設したことを特徴とする流体の流動検知装置。
【請求項２】
上記弁体を、上記供給開口を閉塞可能な先端部を有し上記流体空間の中心軸に沿う軸線を軸とした棒状に形成し、
上記ガイド部材に、上記流体空間の中心軸に沿う軸線を軸とし上記弁体が先端部を突出させて嵌挿される嵌挿孔を形成し、上記ガイド部材の中間部外周に周方向に沿い流体が通過可能な凹所を形成し、該ガイド部材の上記流体空間の一端面側を、上記受面を有し上記流体空間の円筒内面を摺動可能な一端側摺動面を有した一端側摺動部として構成し、上記ガイド部材の上記流体空間の他端面側を、上記天面を有し上記流体空間の円筒内面を摺動可能な他端側摺動面を有した他端側摺動部として構成し、上記一端側摺動部の外側に上記受面及び上記凹所に亘る流体が通過可能な一端側切欠きを形成し、上記他端側摺動部の外側に上記天面及び上記凹所に亘る流体が通過可能な他端側切欠きを形成したことを特徴とする請求項１記載の流体の流動検知装置。
【請求項３】
上記一端側切欠きを、複数設け、該各一端側切欠きを、同じ大きさ且つ同じ形状に形成するとともに軸線を中心に等角度間隔に設け、
上記他端側切欠きを、複数設け、該各他端側切欠きを、同じ大きさ且つ同じ形状に形成するとともに軸線を中心に等角度間隔に設けたことを特徴とする請求項２記載の流体の流動検知装置。
【請求項４】
上記嵌挿孔を上記ガイド部材に貫通形成し、上記弁体を、上記嵌挿孔に嵌着される大径部と、該大径部より細く形成された小径部とを備えて構成し、上記ガイド部材の上記弁体の小径部に対応する部位であって上記凹所，一端側切欠き及び他端側切欠きの少なくとも何れかの部位に上記嵌挿孔に連通する連通路を複数形成したことを特徴とする請求項２または３記載の流体の流動検知装置。
【請求項５】
上記弁体の後端部側に小径部を設けて上記コイルスプリングの一端側が上記嵌挿孔に収納されるようにし、上記ガイド部材の凹所及び／または他端側切欠きのある部位に上記連通路を複数形成したことを特徴とする請求項４記載の流体の流動検知装置。
【請求項６】
上記弁体の大径部を該弁体の途中に設け、該弁体の先端部と大径部との間に小径部を設け、上記ガイド部材の該小径部に対応する部位であって上記凹所及び／または一端側切欠きに上記連通路を複数形成したことを特徴とする請求項５記載の流体の流動検知装置。
【請求項７】
上記大径部に上記嵌挿孔の内面に弾接するＯ−リングを被冠し、該Ｏ−リングを介して該大径部を該嵌挿孔に嵌着したことを特徴とする請求項６記載の流体の流動検知装置。
【請求項８】
上記ガイド部材の周面に、該ガイド部材の上記流体空間の一端面側に流入口を有し該流体空間の他端面側に流出口を有するとともに、周方向に沿う流体が通過する溝状の溝路を形成したことを特徴とする請求項１記載の流体の流動検知装置。
【請求項９】
上記弁体を、上記供給開口を閉塞可能な先端部を有して構成し、該先端部を上記供給開口に対峙し内側に凹む凹部を備えて構成したことを特徴とする請求項１乃至８何れかに記載の流体の流動検知装置。
【請求項１０】
上記凹部を、上記流体空間の中心軸に沿う軸線を軸とした円錐状に形成したことを特徴とする請求項９記載の流体の流動検知装置。
【請求項１１】
上記供給開口の開口縁部を、上記弁体の供給開口の閉塞時に上記凹部内に臨み得るように上記流体空間に突出形成したことを特徴とする請求項９または１０記載の流体の流動検知装置。
【請求項１２】
流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする弁体を収納し、該流体空間内に上記弁体を上記供給開口を閉にする方向に常時付勢するコイルスプリングを収納し、上記弁体の開閉を検出することにより、流体の流動を検知できるようにした流体の流動検知装置において、
上記弁体を、上記供給開口を閉塞可能な先端部を有して構成し、該先端部を上記供給開口に対峙し内側に凹む凹部を備えて構成し、
上記流体空間内に、上記供給開口から吐出開口に至る流体の流路を確保して上記弁体を摺動可能にガイドするガイド部材を設けたことを特徴とする流体の流動検知装置。
【請求項１３】
上記凹部を、上記流体空間の中心軸に沿う軸線を軸とした円錐状に形成したことを特徴とする請求項１２記載の流体の流動検知装置。
【請求項１４】
上記供給開口の開口縁部を、上記弁体の供給開口の閉塞時に上記凹部内に臨み得るように上記流体空間に突出形成したことを特徴とする請求項１２または１３記載の流体の流動検知装置。
【請求項１５】
流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする弁体を収納し、該流体空間内に上記弁体を上記供給開口を閉にする方向に常時付勢するコイルスプリングを収納し、上記弁体の開閉を検出することにより、流体の流動を検知できるようにした流体の流動検知装置において、
上記供給開口から供給される流体による上記弁体の開動作を許容して、上記弁体を上記供給開口に対して磁力により吸引する吸引手段を設けたことを特徴とする流体の流動検知装置。
【請求項１６】
上記吸引手段を、上記弁体側に設けられ磁石または磁石に磁着可能な磁着材料からなる第１部材と、上記供給開口側に設けられ上記第１部材を吸引する磁石または磁石に磁着可能な磁着材料からなる第２部材とから構成したことを特徴とする請求項１５記載の流体の流動検知装置。
【請求項１７】
上記第２部材を、Ｎ極面及びＳ極面を有した複数の永久磁石を備えて構成したことを特徴とする請求項１６記載の流体の流動検知装置。
【請求項１８】
上記第２部材において、少なくとも１つの永久磁石をその磁極方向が上記流体空間の中心軸に沿うように配置し、他の少なくとも１つの永久磁石をその磁極方向が上記流体空間の中心軸に直交する方向に沿うように配置したことを特徴とする請求項１７記載の流体の流動検知装置。
【請求項１９】
上記第１部材を上記弁体で構成し、上記第２部材を上記本体に付設したことを特徴とする請求項１６乃至１８何れかに記載の流体の流動検知装置。
【請求項２０】
上記弁体に、上記供給開口から吐出開口に至る流体の流路を確保して上記流体空間の円筒内面を摺動可能に形成されるとともに該流体空間の一端面に対峙して上記供給開口からの流体を受ける受面を有し且つ上記流体空間の他端面に対峙する天面を有したガイド部材を付設し、
上記第１部材を上記ガイド部材に巻回される磁着材料からなるコイルで構成し、上記第２部材を上記本体に付設される磁石で構成したことを特徴とする請求項１６乃至１９何れかに記載の流体の流動検知装置。
【請求項２１】
流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記本体に上記流体空間の一端側に露出する接点部を有した導電体からなる一方電極を設け、上記本体に上記流体空間の他端側に露出する露出部を有し上記一方電極に対して絶縁された導電体からなる他方電極を設け、上記流体空間内に該流体空間の中心軸に沿って移動させられ上記一方電極の接点部に当接して上記供給開口を閉にし該接点部から離間して該供給開口を開にする導電体からなる弁体を収納し、該流体空間内に一端が上記弁体に接続され他端が上記他方電極の露出部に接続されて該弁体を上記供給開口を閉にする方向に常時付勢する導電体からなるコイルスプリングを収納し、
上記一方電極，弁体，コイルスプリング及び他方電極から構成される電気回路の上記弁体が閉になったときの接続，開になったときの切断を電気的に検出することにより、流体の流動を検知できるようにしたことを特徴とする請求項１乃至２０何れかに記載の流体の流動検知装置。
【請求項２２】
上記一方電極の接点部を上記供給開口の開口縁及び／または該開口縁の周囲部に設け、上記弁体を、上記接点部に当接して上記供給開口を閉塞可能な先端部を有し上記流体空間の中心軸に沿う軸線を軸とした棒状に形成したことを特徴とする請求項２１記載の流体の流動検知装置。
【請求項２３】
上記他方電極を、上記流体空間の中心軸に沿う軸線を軸とし一端が上記流体空間の他端面側に露出する露出部として形成され他端側が本体から突出した接続部として形成される棒状に形成し、上記本体に、上記他方電極を包持する絶縁体からなる包持部材を設け、該包持部材に、上記流体空間の中心軸に沿う軸線を軸とし上記他方電極の露出部が内部に臨み上記コイルスプリングの他端側が収納されるとともに上記接続部を突出させて包持する包持孔を形成したことを特徴とする請求項２１または２２記載の流体の流動検知装置。
【請求項２４】
上記包持部材を、上記本体に対して着脱可能にしたことを特徴とする請求項２３記載の流体の流動検知装置。
【請求項２５】
上記他方電極を、上記流体空間の中心軸に直交する軸線を軸とし上記流体空間の他端側に露出する露出部を有するとともに端部が上記本体から突出した接続部として形成される棒状に形成し、上記本体に、上記他方電極を包持する絶縁体からなる包持部材を設け、上記他方電極の接続部に該接続部とは絶縁された状態で上記一方電極の接続部を設けたことを特徴とする請求項２１または２２記載の流体の流動検知装置。
【請求項２６】
上記露出部を、上記コイルスプリングの端部が当接する球状体を備えて形成したことを特徴とする請求項２５記載の流体の流動検知装置。
【請求項２７】
上記本体の上記他方電極より外側に、該本体を支持し上記流体空間の中心軸に直交する軸線を軸として相対的に回動可能かつ所要の回動位置でロック可能な支持杆を貫通して設け、上記吐出口を、上記支持杆に形成したことを特徴とする請求項２５または２６記載の流体の流動検知装置。
【請求項２８】
上記吐出口を、上記他方電極の一端側が遊挿されるように上記本体に形成し、上記本体に、上記他方電極の一端側を流体の流路を確保して支持する絶縁体からなる支持部材を設けたことを特徴とする請求項２５または２６記載の流体の流動検知装置。
【請求項２９】
上記吐出口を、上記流体空間の他端に該流体空間の中心軸を中心とする吐出開口を有して形成したことを特徴とする請求項２５または２６記載の流体の流動検知装置。
【請求項３０】
上記本体に、上記弁体の開閉を検出するフォトセンサを付帯させ、該フォトセンサにより流体の流動を検知できるようにしたことを特徴とする請求項１乃至２０何れかに記載の流体の流動検知装置。
【請求項３１】
上記本体に、上記弁体の開閉を検出するイメージセンサを付帯させ、該イメージセンサにより流体の流動を検知できるようにしたことを特徴とする請求項１乃至２０何れかに記載の流体の流動検知装置。
【発明の詳細な説明】
【技術分野】
【０００１】
本発明は、例えば、射出成形機等の産業機械や工作機械等に設けられる潤滑システムの管路を流れるグリスやオイル等の潤滑油からなる流体の流動を検知する流体の流動検知装置に係り、特に、内部の弁体の開閉を検出することにより流体の流動を検知できるようにした流体の流動検知装置に関する。
【背景技術】
【０００２】
従来、この種の流体の流動検知装置としては、例えば、実開昭５３−１６７４３号公報に掲載されたものが知られている。図２５に示すように、この流体の流動検知装置Ｋａは、流体が通過可能な円筒内面を有した流体空間Ｅを有した絶縁体からなる本体１００を備え、この本体１００に流体空間Ｅの一端に流体空間Ｅの中心軸Ｐを中心とする供給開口１０１を有した流体の供給口１０２を形成し、本体１００の側部に流体空間Ｅに連通する吐出開口１０３を有した流体の吐出口１０４を形成し、供給開口１０１を形成する供給開口１０１の形成部材を導電体からなる一方電極１０５として構成し、本体１００に流体空間Ｅの他端側に露出する露出部１０６を有するとともに一方電極１０５に対して絶縁された導電体からなる他方電極１０７を設け、流体空間Ｅ内に流体空間Ｅの中心軸Ｐに沿って移動させられ供給開口１０１の開口縁部１０８に当接して供給開口１０１を閉にする一方、供給開口１０１から離間して供給開口１０１を開にする導電体からなる弁体１１０を収納し、また、流体空間Ｅ内に一端が弁体１１０に接続され他端が他方電極１０７の露出部１０６に接続されて弁体１１０を供給開口１０１を閉にする方向に常時付勢する導電体からなるコイルスプリング１１１を収納して構成されている。また、他方電極１０７には、流体空間Ｅの中心軸Ｐに沿う軸線を軸とし弁体１１０が先端部１１２を突出させて摺動可能に挿入されるとともにコイルスプリング１１１が収納される摺動孔１１３を有した筒状のガイド部材１１４が固着されている。この流体の流動検知装置Ｋａは、弁体１１０の開閉による所謂チェック弁を構成することになる。
【０００３】
そして、流動検知装置Ｋａは、一方電極１０５に接続された配線１１５及び他方電極１０７に接続された配線１１６を介して図示外の検知器に接続され、この検知器により、一方電極１０５，弁体１１０，コイルスプリング１１１及び他方電極１０７から構成される電気回路に常時電圧を付与して、この電気回路の弁体１１０が閉になったときの接続，開になったときの切断を電気的に検出することにより、流体の流動を検知できるようにしている。
【先行技術文献】
【特許文献】
【０００４】
【特許文献１】実開昭５３−１６７４３号公報
【発明の概要】
【発明が解決しようとする課題】
【０００５】
ところで、上述した従来の流体の流動検知装置Ｋａにあっては、例えば、流体としての潤滑油を給油箇所に１回当たり例えば０．００５ｃｃ〜１ｃｃ程度と少量吐出する定量バルブを備えた潤滑システムにおいて、この定量バルブから給油箇所に至る給油配管に接続して、潤滑油の流動を検知し、潤滑油が確実に供給されているか否かを認知したい場合、潤滑油の流動検知の信頼性が悪いという問題があった。
その理由は、流体が供給口１０２から供給されると、弁体１１０がコイルスプリング１１１の付勢力に抗して移動し、供給開口１０１から離間して開になり、電気回路を切断するが、流体の流量が比較的少量の場合、特に、例えば、０．１ｃｃ以下になる微量の場合、あるいは、流体の流量が比較的多くても、例えば、定量バルブの使用数量が多くなる等の状況下等で流速が遅くなるような場合には、弁体１１０の移動量（リフト量）が極めて小さくなるので、流体が流れても、弁体１１０の先端部１０８が一方電極１０５から全部が離間せずに一部が接触状態を維持し、開（切断）を検知できないことがあるからである。これを解消しようとして、コイルスプリング１１１の付勢力を弱くして対処すると、弁体１１０の戻り動作を悪くしてしまい、逆効果を生じる。
【０００６】
本発明は上記の問題点に鑑みて為されたもので、弁体の戻り動作に悪影響を与えることなく、流体の流量が少量でも弁体が供給開口側から確実に離間できるようにして、流動検知の信頼性の向上を図った流動検知装置を提供することを目的とする。
【課題を解決するための手段】
【０００７】
このような目的を達成するため、本発明の流体の流動検知装置は、流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする弁体を収納し、該流体空間内に上記弁体を上記供給開口を閉にする方向に常時付勢するコイルスプリングを収納し、上記弁体の開閉を検出することにより、流体の流動を検知できるようにした流体の流動検知装置において、
上記弁体に、上記供給開口から吐出開口に至る流体の流路を確保して上記流体空間の円筒内面を摺動可能に形成されるとともに該流体空間の一端面に対峙して上記供給開口からの流体を受ける受面を有し且つ上記流体空間の他端面に対峙する天面を有したガイド部材を付設した構成としている。
【０００８】
この流動検知装置を用いるときは、流体が流れる管路に供給口と吐出口を接続し、流体が供給口から供給された際、弁体の開閉を検出することにより、流体の流動を検知する。即ち、流体が供給口から供給されると、流体は供給開口から流体空間に流入し、弁体及び弁体に付設されたガイド部材の受面に流体が作用し、ガイド部材は流体空間の円筒内面を摺動するので、弁体及びガイド部材が一体に押し上げられ、弁体が開になる。この場合、ガイド部材の受面でも流体を受けることから、弁体が浮き上がり易くなり、そのため、確実に弁体を供給開口から離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、ガイド部材の浮き上がりにより確実に弁体が押し上げられるので、弁体を供給開口側から確実に離間させることができ、このため、従来のように、流体が流れても、弁体が供給開口側から全部が離間せずに一部が接触状態を維持して開を検知できない事態を防止することができ、検知の信頼性を向上させることができる。また、ガイド部材は、供給開口から吐出開口に至る流体の流路を確保して流体空間の円筒内面を摺動するので、流体を吐出開口から吐出口に導出させることができる。一方、流体の供給口からの供給が停止されると、コイルスプリングの付勢力により弁体及びガイド部材は流体空間の一端面側に移動させられ、弁体は供給開口を閉にする。この場合、ガイド部材には、供給開口から吐出開口に至る流体の流路が確保されているので、弁体の戻り動作に支障を生じない。
【０００９】
そして、必要に応じ、上記弁体を、上記供給開口を閉塞可能な先端部を有し上記流体空間の中心軸に沿う軸線を軸とした棒状に形成し、
上記ガイド部材に、上記流体空間の中心軸に沿う軸線を軸とし上記弁体が先端部を突出させて嵌挿される嵌挿孔を形成し、上記ガイド部材の中間部外周に周方向に沿い流体が通過可能な凹所を形成し、上記ガイド部材の上記流体空間の一端面側を、上記受面を有し上記流体空間の円筒内面を摺動可能な一端側摺動面を有した一端側摺動部として構成し、上記ガイド部材の上記流体空間の他端面側を、上記天面を有し上記流体空間の円筒内面を摺動可能な他端側摺動面を有した他端側摺動部として構成し、上記一端側摺動部の外側に上記受面及び上記凹所に亘る流体が通過可能な一端側切欠きを形成し、上記他端側摺動部の外側に上記天面及び上記凹所に亘る流体が通過可能な他端側切欠きを形成した構成としている。
【００１０】
これにより、弁体はガイド部材の嵌挿孔に嵌挿することにより一体化されるので、製造が容易に行われる。弁体及びガイド部材が流体に押し上げられると、流体は、一端側切欠き及び凹所を通って吐出開口に至って、吐出口から吐出される。この場合、凹所を設けているので、流体に対する抵抗が小さくなることから、確実に供給開口から吐出開口へ流体を導くことができる。また、ガイド部材は、凹所を挟んでその両端に、一端側摺動部及び他端側摺動部を備えているので、流体の流動によって傾くことが防止され、更に、他端側切欠きを通って流体が行き来できるので、弁体の開時及び閉時のガイド部材の摺動移動を円滑に行わせることができ、そのため、弁体の開時において、弁体を浮き上がり易くすることができ、弁体の閉時においても、確実に供給開口を閉にすることができる。
【００１１】
また、必要に応じ、上記一端側切欠きを、複数設け、該各一端側切欠きを、同じ大きさ且つ同じ形状に形成するとともに軸線を中心に等角度間隔に設け、
上記他端側切欠きを、複数設け、該各他端側切欠きを、同じ大きさ且つ同じ形状に形成するとともに軸線を中心に等角度間隔に設けた構成としている。
各切欠きを同じ大きさ及び形状に形成して等角度間隔に設けたので、流体の流れが均等になり、そのため、弁体の開時において、弁体及びガイド部材の移動を円滑に行わせつつ、流体の導出を確実に行わせることができる。また、弁体の閉時においても、確実に供給開口を閉にすることができる。
【００１２】
更に、必要に応じ、上記嵌挿孔を上記ガイド部材に貫通形成し、上記弁体を、上記嵌挿孔に嵌着される大径部と、該大径部より細く形成された小径部とを備えて構成し、上記ガイド部材の上記弁体の小径部に対応する部位であって上記凹所，一端側切欠き及び他端側切欠きの少なくとも何れかの部位に上記嵌挿孔に連通する連通路を複数形成した構成としている。連通路に流体が入り込むので、それだけ、流体に対する抵抗が小さくなることから、流体が行き来し易くなり、そのため、弁体の開時において、弁体及びガイド部材の移動を円滑に行わせつつ、流体の導出を確実に行わせることができる。また、弁体の閉時においても、確実に供給開口を閉にすることができる。
【００１３】
この場合、上記弁体の後端部側に小径部を設けて上記コイルスプリングの一端側が上記嵌挿孔に収納されるようにし、上記ガイド部材の凹所及び／または他端側切欠きのある部位に上記連通路を複数形成したことが有効である。嵌挿孔にはコイルスプリングの一端側が収納されるので、支持が安定し、この点でも、弁体及びガイド部材の移動を円滑に行わせることができる。
【００１４】
また、この場合、上記弁体の大径部を該弁体の途中に設け、該弁体の先端部と大径部との間に小径部を設け、上記ガイド部材の該小径部に対応する部位であって上記凹所及び／または一端側切欠きに上記連通路を複数形成した構成としている。弁体の後端部側に加えて弁体の先端部側にも連通路が形成されるので、それだけ、流体に対する抵抗が小さくなることから、流体が行き来し易くなり、そのため、弁体の開時において、弁体及びガイド部材の移動をより一層円滑に行わせつつ、流体の導出をより一層確実に行わせることができる。また、弁体の閉時においても、より一層確実に供給開口を閉にすることができる。
【００１５】
更に、この場合、上記大径部に上記嵌挿孔の内面に弾接するＯ−リングを被冠し、該Ｏ−リングを介して該大径部を該嵌挿孔に嵌着した構成としている。Ｏ−リングによる嵌着なので、弁体をガイド部材に嵌着しやすくなる。
【００１６】
更にまた、本発明においては、上記ガイド部材の周面に、該ガイド部材の上記流体空間の一端面側に流入口を有し該流体空間の他端面側に流出口を有するとともに、周方向に沿う流体が通過する溝状の溝路を形成したことが有効である。このタイプは、特に、流体が低粘度の場合に適するものである。ガイド部材の周方向に沿って溝路を設けたので、流体が通過する抵抗が大きくなり、その分、弁体を浮き上がり易くすることができる。低粘度なので流体の流通は確保される。また、ガイド部材の周方向に沿って流体が通過するので、ガイド部材が流体空間の円筒内面を摺動する毎に、新しい流体との入れ替わりが確実に行われ、例えば、流体がグリスの場合等には固着の心配を解消することができる。
【００１７】
そしてまた、必要に応じ、上記弁体を、上記供給開口を閉塞可能な先端部を有して構成し、該先端部を上記供給開口に対峙し内側に凹む凹部を備えて構成している。
この場合、  上記凹部を、上記流体空間の中心軸に沿う軸線を軸とした円錐状に形成することができる。
これにより、先端部に内側に凹む凹部を形成したので、供給開口から流入する流体が凹部によって跳ね返り、外側に逃げにくくなって流体を受けやすくすることができることから、より一層、弁体が浮き上がり易くなり、そのため、弁体を供給開口から確実に離間させることができ、検知の信頼性を向上させることができる。
また、弁体が戻る際には、凹部の開口縁が鋭角になっているので流体をせん断する作用が生じ、それだけ閉動作を円滑に行わせることができる。
【００１８】
また、必要に応じ、上記供給開口の開口縁部を、上記弁体の供給開口の閉塞時に上記凹部内に臨み得るように上記流体空間に突出形成した構成としている。弁体の凹部に流体を集中的に流入させることができ、そのため、より一層、流体を受けやすくして弁体を浮き上がり易くすることができ、弁体を供給開口から確実に離間させることができる。また、凹部の開口の直径よりも供給開口の直径が小さくなるので、供給開口の直径が凹部の開口の直径と略同じ場合に比較して、流体の流速も速くすることができ、この点でも弁体を浮き上がり易くすることができ、弁体を供給開口から確実に離間させることができる。
【００１９】
また、上記課題を解決するため、本発明の流体の流動検知装置は、流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする弁体を収納し、該流体空間内に上記弁体を上記供給開口を閉にする方向に常時付勢するコイルスプリングを収納し、上記弁体の開閉を検出することにより、流体の流動を検知できるようにした流体の流動検知装置において、
上記弁体を、上記供給開口を閉塞可能な先端部を有して構成し、該先端部を上記供給開口に対峙し内側に凹む凹部を備えて構成し、
上記流体空間内に、上記供給開口から吐出開口に至る流体の流路を確保して上記弁体を摺動可能にガイドするガイド部材を設けた構成としている。
【００２０】
この流動検知装置を用いるときは、流体が流れる管路に供給口と吐出口を接続し、流体が供給口から供給された際、弁体の開閉を検出することにより、流体の流動を検知する。即ち、流体が供給口から供給されると、流体は供給開口から流体空間に流入し、弁体に流体が作用し、弁体はガイド部材を摺動して、弁体が開になる。この場合、弁体の先端部に内側に凹む凹部を形成したので、供給開口から流入する流体が凹部によって跳ね返り、外側に逃げにくくなって流体を受けやすくすることができることから、弁体が浮き上がり易くなり、そのため、確実に弁体を供給開口から離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、確実に弁体が押し上げられるので、弁体を供給開口から確実に離間させることができ、このため、検知の信頼性を向上させることができる。一方、流体の供給口からの供給が停止されると、コイルスプリングの付勢力により弁体は、ガイド部材を摺動して流体空間の一端面側に移動させられ、弁体は供給開口を閉にする。この場合、供給開口から吐出開口に至る流体の流路が確保されているので、弁体の戻り動作に支障を生じない。
また、弁体が戻る際には、凹部の開口縁が鋭角になっているので流体をせん断する作用が生じ、それだけ閉動作を円滑に行わせることができる。
【００２１】
この場合、上記凹部を、上記流体空間の中心軸に沿う軸線を軸とした円錐状に形成することができる。
【００２２】
また、この場合、必要に応じ、上記供給開口の開口縁部を、上記弁体の供給開口の閉塞時に上記凹部内に臨み得るように上記流体空間に突出形成した構成としている。弁体の凹部に流体を集中的に流入させることができ、そのため、より一層、流体を受けやすくして弁体を浮き上がり易くすることができ、弁体を供給開口から確実に離間させることができる。また、凹部の開口の直径よりも供給開口の直径が小さくなるので、供給開口の直径が凹部の開口の直径と略同じ場合に比較して、流体の流速も速くすることができ、この点でも弁体を浮き上がり易くすることができ、弁体を供給開口から確実に離間させることができる。
【００２３】
そしてまた、上記課題を解決するため、本発明の流体の流動検知装置は、流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする弁体を収納し、該流体空間内に上記弁体を上記供給開口を閉にする方向に常時付勢するコイルスプリングを収納し、上記弁体の開閉を検出することにより、流体の流動を検知できるようにした流体の流動検知装置において、
上記供給開口から供給される流体による上記弁体の開動作を許容して、上記弁体を上記供給開口に対して磁力により吸引する吸引手段を設けた構成としている。
【００２４】
この流動検知装置を用いるときは、流体が流れる管路に供給口と吐出口を接続し、流体が供給口から供給された際、弁体の開閉を検出することにより、流体の流動を検知する。即ち、流体が供給口から供給されると、流体は供給開口から流体空間に流入し、弁体が押し上げられ、弁体が開になる。この場合、吸引手段の磁力の吸引においては、吸引力は距離の２乗に反比例することから、弁体の閉位置から開位置への移動時においては、吸引力が弱くなるので、弁体が浮き上がり易くなり、そのため、確実に弁体を供給開口から離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、確実に弁体が押し上げられるので、弁体を供給開口から確実に離間させることができ、このため、検知の信頼性を向上させることができる。一方、流体の供給口からの供給が停止されると、コイルスプリングの付勢力により弁体は、流体空間の一端面側に移動させられ、弁体は供給開口を閉にする。この場合、コイルスプリングでは、たわみ量と荷重が比例関係あることから、弁体の開位置から閉位置への戻り特性や、供給開口に対する押圧力に限界があるが、吸引手段の磁力の吸引においては、吸引力は距離の２乗に反比例することから、弁体の開位置から閉位置への戻り性能を向上させることができるとともに、供給開口に対する押圧力を増して接触を確実に確保することができる。即ち、コイルスプリングだけの場合、内圧の関係も有り、そっとかぶさるように戻るので接点部を確実に閉じにくいことがあるが、磁力による吸引時は距離の２乗に反比例して吸引力が増加するため、加速度が生じ、接点部上面の絶縁膜（油膜）を破壊し、接点部の洗浄効果も生じ、そのため、接点部を確実に閉じることができる。吸引手段の吸引力は、コイルスプリングとのバランスを考慮し、永久磁石の材質、サイズ、弁体の透磁率、弁体と永久磁石の距離等で調整する。
【００２５】
この構成においては、上記吸引手段を、上記弁体側に設けられ磁石または磁石に磁着可能な磁着材料からなる第１部材と、上記供給開口側に設けられ上記第１部材を吸引する磁石または磁石に磁着可能な磁着材料からなる第２部材とから構成することができる。即ち、弁体側に磁石を設けた場合には、供給開口側には、磁石及び／または磁着材料を設ける。弁体側に磁着材料を設けた場合には、供給開口側には、磁石を設ける。磁石は、永久磁石，電磁石何れでも良いが、コンパクトにすることができるので永久磁石を用いるのが望ましい。磁力を確実に付与して弁体の吸引を行うことができる。
【００２６】
また、必要に応じ、上記第２部材を、Ｎ極面及びＳ極面を有した複数の永久磁石を備えて構成している。複数の永久磁石を用いたので、その相乗作用により、吸引力の調整や、コイルスプリングとのバランスの調整を行ない易くすることができる。また、磁石を複数設けることにより、磁石の磁力及び磁力線の影響範囲を調整できるので、多種多様な性状の流体の検知が可能となる。
【００２７】
更に、必要に応じ、上記第２部材において、少なくとも１つの永久磁石をその磁極方向が上記流体空間の中心軸に沿うように配置し、他の少なくとも１つの永久磁石をその磁極方向が上記流体空間の中心軸に直交する方向に沿うように配置した構成としている。例えば、磁石の配置具合によって、特定の１つの磁石の磁力線が他の磁石に取り込まれ、この特定の１つの磁石が弁体を吸引する影響範囲（磁場、磁界）を小さくできる。よって、僅かな弁体のリフト量でも、特定の１つの磁石が弁体を吸引する力を減らして、弁体を確実に開き易くすることができるようになる。また、各磁石の磁力と配置を調整することで、弁体のリフト量とリフト時間（開いている間の時間）を調整できる。また、弁体の閉時には磁石の吸引力により確実に閉にすることができる。
【００２８】
この場合、上記第１部材を上記弁体で構成し、上記第２部材を上記本体に付設することができる。構造を簡単にすることができる。
また、この場合、上記弁体に、上記供給開口から吐出開口に至る流体の流路を確保して上記流体空間の円筒内面を摺動可能に形成されるとともに該流体空間の一端面に対峙して上記供給開口からの流体を受ける受面を有し且つ上記流体空間の他端面に対峙する天面を有したガイド部材を付設し、上記第１部材を上記ガイド部材に巻回される磁着材料からなるコイルで構成し、上記第２部材を上記本体に付設される磁石で構成することができる。ガイド部材に巻回されたコイルを吸引することで弁体を間接的に吸引することができる。
【００２９】
そして、本発明においては、流体が通過可能な円筒内面を有した流体空間を有した本体を備え、該本体に上記流体空間の一端に該流体空間の中心軸を中心とする供給開口を有した流体の供給口を形成し、上記本体に上記流体空間に連通する吐出開口を有した流体の吐出口を形成し、上記本体に上記流体空間の一端側に露出する接点部を有した導電体からなる一方電極を設け、上記本体に上記流体空間の他端側に露出する露出部を有し上記一方電極に対して絶縁された導電体からなる他方電極を設け、上記流体空間内に該流体空間の中心軸に沿って移動させられ上記一方電極の接点部に当接して上記供給開口を閉にし該接点部から離間して該供給開口を開にする導電体からなる弁体を収納し、該流体空間内に一端が上記弁体に接続され他端が上記他方電極の露出部に接続されて該弁体を上記供給開口を閉にする方向に常時付勢する導電体からなるコイルスプリングを収納し、
上記一方電極，弁体，コイルスプリング及び他方電極から構成される電気回路の上記弁体が閉になったときの接続，開になったときの切断を電気的に検出することにより、流体の流動を検知できるようにすることができる。
【００３０】
この流動検知装置を用いるときは、流体が流れる管路に供給口と吐出口を接続するとともに、検知器からの配線を一方電極及び他方電極に接続し、この検知器により、一方電極，弁体，コイルスプリング及び他方電極から構成される電気回路に常時電圧を付与する等して、この電気回路の弁体が閉になったときの接続，開になったときの切断を電気的に検出する。即ち、流体が供給口から供給されると、流体は供給開口から流体空間に流入し、弁体に流体が作用し、弁体が一体に押し上げられ、弁体が開になる。この場合、上述したように、弁体が浮き上がり易くなり、そのため、確実に弁体を供給開口から離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、確実に弁体が押し上げられるので、弁体を供給開口のある一方電極から確実に離間させることができ、このため、従来のように、流体が流れても、弁体が一方電極から全部が離間せずに一部が接触状態を維持し、開（切断）を検知できない事態を防止することができ、検知の信頼性を向上させることができる。電気的検知において信頼性を向上させることができる。
【００３１】
この場合、上記一方電極の接点部を上記供給開口の開口縁及び／または該開口縁の周囲部に設け、上記弁体を、上記接点部に当接して上記供給開口を閉塞可能な先端部を有し上記流体空間の中心軸に沿う軸線を軸とした棒状に形成したことが有効である。接点部への接触を確実にすることができる。
【００３２】
また、この構成において、必要に応じ、上記他方電極を、上記流体空間の中心軸に沿う軸線を軸とし一端が上記流体空間の他端面側に露出する露出部として形成され他端側が本体から突出した接続部として形成される棒状に形成し、上記本体に、上記他方電極を包持する絶縁体からなる包持部材を設け、該包持部材に、上記流体空間の中心軸に沿う軸線を軸とし上記他方電極の露出部が内部に臨み上記コイルスプリングの他端側が収納されるとともに上記接続部を突出させて包持する包持孔を形成した構成としている。これにより、包持孔にはコイルスプリングの他端側が収納されるので、支持が安定し、弁体の移動を円滑に行わせることができる。
この場合、上記包持部材を、上記本体に対して着脱可能にしたことが有効である。包持部材を取り外せば、本体の流体空間が開くので、弁体及びコイルスプリングの組付けを容易にすることができる。
【００３３】
更に、必要に応じ、上記他方電極を、上記流体空間の中心軸に直交する軸線を軸とし上記流体空間の他端側に露出する露出部を有するとともに端部を上記本体から突出した接続部として形成される棒状に形成し、上記本体に、上記他方電極を包持する絶縁体からなる包持部材を設け、上記他方電極の接続部に該接続部とは絶縁された状態で上記一方電極の接続部を設けた構成としている。
これにより、一方電極及び他方電極の接続部を集約して本体の側部に設けることができ、それだけ、装置をコンパクトにすることができる。また、この両接続部を絶縁体の樹脂などでモールドする等して保護し易くなる。
【００３４】
この構成においては、上記露出部を、上記コイルスプリングの端部が当接する球状体を備えて形成したことが有効である。他方電極は流体空間を横切って配置されることから、この他方電極を本体に固定する際に、他方電極が流体空間の中心軸に直交する軸線を軸として回動して、スプリングに対する接触部が変化するが、球状体にスプリングを当接させるので、他方電極の回動があっても常に球面にコイルスプリングを接触させることができ、他方電極の位置調整が不要になり組付けが容易になるとともに、接続の安定を図ることができる。
【００３５】
また、必要に応じ、上記本体の上記他方電極より外側に、該本体を支持し上記流体空間の中心軸に直交する軸線を軸として相対的に回動可能かつ所要の回動位置でロック可能な支持杆を貫通して設け、上記吐出口を、上記支持杆に形成した構成としている。
これにより、支持杆は本体に対して相対的に角度調整可能になる。吐出口のある支持杆を給油箇所に取付ける際は、支持杆のロックを解除してこれを取付け、その後、ロックすることができる。この場合、支持杆を回動させても、本体は一定位置に位置させておくことができるので、スペースの狭いところの取付けの自由度が増し、取付け性を向上させることができる。
【００３６】
更に、必要に応じ、上記吐出口を、上記他方電極の一端側が遊挿されるように上記本体に形成し、上記本体に、上記他方電極の一端側を流体の流路を確保して支持する絶縁体からなる支持部材を設けた構成としている。
これにより、吐出口は他方電極の一端側が位置する部位に形成されるので、他方電極よりも外側に吐出口を設ける場合に比較して、装置をコンパクトに形成することができ、スペースの狭いところの取付けの自由度を増すことができる。
【００３７】
更にまた、必要に応じ、上記吐出口を、上記流体空間の他端に該流体空間の中心軸を中心とする吐出開口を有して形成した構成としている。供給口と吐出口とを流体空間の中心軸上に設けることができるので、本体をストレートにして用いることができ、取付けの汎用性を向上させることができる。
【００３８】
また、本発明においては、上記本体に、上記弁体の開閉を検出するフォトセンサを付帯させ、該フォトセンサにより流体の流動を検知できるようにすることができる。光学的検知において信頼性を向上させることができる。
更にまた、本発明においては、上記本体に、上記弁体の開閉を検出するイメージセンサを付帯させ、該イメージセンサにより流体の流動を検知できるようにすることができる。画像検知において信頼性を向上させることができる。
【発明の効果】
【００３９】
以上説明したように本発明の流体の流動検知装置によれば、供給開口から流入する流体を受けやすくすることができ、弁体を浮き上がり易くすることができ、そのため、弁体の戻り動作に影響を与えることなく、確実に弁体を供給開口から離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、確実に弁体が押し上げられるので、弁体を供給開口から確実に離間させることができ、極めて有効になる。その結果、検知の信頼性を向上させることができる。
【図面の簡単な説明】
【００４０】
【図１】本発明の実施の形態に係る流体の流動検知装置が用いられる潤滑システムの一例を示す図である。
【図２】本発明の実施の形態に係る流体の流動検知装置を示す断面図である。
【図３】本発明の実施の形態に係る流体の流動検知装置においてその作動状態を示す断面図である。
【図４】本発明の実施の形態に係る流体の流動検知装置において、弁体と一方電極の接点部との接触の態様を示す要部拡大断面図（ａ），（ｂ），（ｃ）である。
【図５】本発明の実施の形態に係る流体の流動検知装置においてその本体内部の部品を示す分解斜視図である。
【図６】本発明の実施の形態に係る流体の流動検知装置においてその弁体を示す正面図である。
【図７】本発明の実施の形態に係る流体の流動検知装置においてそのガイド部材を示し、（ａ）は平面図、（ｂ）は正面図、（ｃ）は底面図、（ｄ）は側面図である。
【図８】本発明の別の実施の形態に係る流体の流動検知装置を示す断面図である。
【図９】本発明のまた別の実施の形態に係る流体の流動検知装置を示す断面図である。
【図１０】本発明の更にまた別の実施の形態に係る流体の流動検知装置を示す断面図である。
【図１１】本発明の他の実施の形態に係る流体の流動検知装置を示す断面図である。
【図１２】本発明の他の実施の形態に係る流体の流動検知装置においてその本体内部の部品を示す分解斜視図である。
【図１３】本発明の他の実施の形態に係る流体の流動検知装置の変形例を示し、（ａ）は断面図、（ｂ）は永久磁石の配置状態を示す図である。
【図１４】本発明のまた他の実施の形態に係る流体の流動検知装置を示す断面図である。
【図１５】本発明のまた他の実施の形態に係る流体の流動検知装置の変形例（ａ），（ｂ），（ｃ）を示す断面図である。
【図１６】本発明の別種の実施の形態に係る流体の流動検知装置を示す図であり、（ａ）は集約した電極の接続部を露出させた状態で示す斜視図、（ｂ）は集約した電極の接続部を覆った状態で示す斜視図である。
【図１７】本発明の別種の実施の形態に係る流体の流動検知装置を示す断面図である。
【図１８】本発明の別種の実施の形態に係る流体の流動検知装置において、そのガイド部材を示し、（ａ）は弁体とともに示す斜視図、（ｂ）は別の斜視図、（ｃ）は平面図、（ｄ）は左側面図、（ｅ）は右側面図、（ｆ）は正面図、（ｇ）は正面断面図である。
【図１９】本発明の他の別種の実施の形態に係る流体の流動検知装置を示す図であり、（ａ）は集約した電極の接続部を露出させた状態で示す斜視図、（ｂ）は集約した電極の接続部を覆った状態で示す斜視図である。
【図２０】本発明の他の別種の実施の形態に係る流体の流動検知装置を示す断面図である。
【図２１】本発明のまた他の別種の実施の形態に係る流体の流動検知装置を示す断面図である。
【図２２】本発明の更にまた他の実施の形態に係り、反射型のフォトセンサを搭載した流体の流動検知装置を示し、（ａ）は断面図、（ｂ）側面図である。
【図２３】本発明の更にまた他の実施の形態に係り、透過型のフォトセンサを搭載した流体の流動検知装置を示し、（ａ）は断面図、（ｂ）側面図である。
【図２４】本発明の更にまた他の実施の形態に係る流体の流動検知装置において、ガイド部材の構成を示す図であり、（ａ）は弁体に取付けられた状態を示す断面図、（ｂ）はその形状の一例を示す平面図、（ｃ）はその形状の他の例を示す平面図である。
【図２５】従来の流体の流動検知装置の一例を示す断面図である。
【発明を実施するための形態】
【００４１】
以下添付図面に基づいて本発明の実施の形態に係る流体の流動検知装置について説明する。図１に示すように、実施の形態に係る流体の流動検知装置Ｋは、射出成形機等の産業機械や工作機械等に設けられる潤滑システムＳに用いられる。潤滑システムＳは、例えば、グリスやオイル等の潤滑油からなる流体を送給する潤滑ポンプ装置１に、流体の加圧及び脱圧により作動させられる定量バルブ２を接続し、この定量バルブ２から潤滑箇所３に流体を間欠的に供給する。定量バルブ２の１ショット当たりの流量は、例えば、０．００５ｃｃ〜１ｃｃの範囲で、数種用意され、潤滑箇所に合わせてこれらから１若しくは複数種類選択されて配管される。実施の形態に係る流体の流動検知装置Ｋは、定量バルブ２から潤滑箇所３の間の給油管路４に介装され、流体の流動を検知し、検知器５により流体が供給されているか否かを認知できるようにしている。
【００４２】
実施の形態に係る流体の流動検知装置Ｋは、図２乃至図５に示すように、流体が通過可能な円筒内面１１を有した流体空間Ｅを有した金属等の導電体からなる本体１０を備えている。本体１０には、流体空間Ｅの一端にこの流体空間Ｅの中心軸Ｐを中心とする供給開口１２を有した流体の供給口１３が形成されている。流体空間Ｅの一端Ｅａは、供給開口１２側へ向けて傾斜形成されている。供給口１３が形成された部位の外側には、給油管路に接続するための雄ネジ１４が形成されている。また、本体１０の側部には、流体空間Ｅに連通する吐出開口１５を有した流体の吐出口１６が形成されている。吐出口１６は、内部に給油管路４への接続用の雌ネジ部１７を有し、本体１０に対してネジ手段１８により着脱可能に取り付けられるアダプタ形状に形成されている。
【００４３】
また、本実施の形態では、本体１０は、流体空間Ｅの一端側に露出する接点部Ｔを有した導電体からなる一方電極Ｄａとして構成されている。一方電極Ｄａへの配線の接続は適宜に行われる。本体１０は、供給開口１２を形成する金属等の導電体からなるブッシュ２０を備えている。ブッシュ２０は、流体空間Ｅの中心軸Ｐを中心とする供給口１３を有したパイプ状の部材であり、供給開口１２側の端部は、先細りに傾斜形成された供給開口１２の開口縁部２１を構成し、流体空間Ｅに突出配置されている。ブッシュ２０の供給開口１２とは反対側の入口開口２２が形成された頭部２３は一般部２４の径よりも大径に形成されている。ブッシュ２０の一般部２４は本体１０に形成され流体空間Ｅの中心軸Ｐと同軸の嵌合孔２５に嵌合している。頭部２３は、嵌合孔２５に連続し嵌合孔２５より大径に形成され本体１０の一端に開口する流体空間Ｅの中心軸Ｐと同軸の入口孔２６内に臨んでいる。
【００４４】
また、本体１０には、流体空間Ｅの他端面側に露出する露出部３０を有するとともに一方電極Ｄａに対して絶縁された金属等の導電体からなる他方電極Ｄｂが設けられている。他方電極Ｄｂは、流体空間Ｅの中心軸Ｐに沿う軸線を軸とした棒状に形成され、一端が流体空間Ｅの他端面側に露出する露出部３０として形成され、他端側が本体１０から突出し雄ネジが形成された接続部３１として形成されている。この他方電極Ｄｂは、樹脂などの絶縁体からなり本体１０にネジ手段３２により着脱可能に設けられる包持部材３３に包持されている。包持部材３３には、流体空間Ｅの中心軸Ｐに沿う軸線を軸とし他方電極Ｄｂの露出部３０が内部に臨み、後述のコイルスプリング４１の他端側が収納されるとともに接続部３１を突出させて包持する包持孔３４が形成されている。他方電極Ｄｂは、包持孔３４に圧入されあるいはネジ止め等により包持孔３４に固定される。接続部３１の雄ネジには、この接続部３１に挿入された配線７（図１）のリング状端子（図示せず）を固定する為のナット３５が螺合されている。
【００４５】
また、図２乃至図７に示すように、流体空間Ｅ内には、流体空間Ｅの中心軸Ｐに沿って移動させられ一方電極Ｄａの接点部Ｔに当接して供給開口１２を閉にし、接点部Ｔから離間して供給開口１２を開にする金属等の導電体からなる弁体４０と、一端が弁体４０に接続され他端が他方電極Ｄｂの露出部３０に接続されて弁体４０を供給開口１２を閉にする方向に常時付勢する金属等の導電体からなるコイルスプリング４１とが収納されている。これにより、本流動検知装置Ｋは、一方電極Ｄａ，弁体４０，コイルスプリング４１及び他方電極Ｄｂから構成される電気回路において、弁体４０が閉になったとき（図２）の接続，開になったとき（図３）の切断を電気的に検出することにより、流体の流動を検知できるようにしている。
【００４６】
詳しくは、一方電極Ｄａの接点部Ｔは、図４に示すように、供給開口１２の開口縁１２ａ及び／またはこの開口縁１２ａの周囲部１２ｂに設けられている。周囲部１２ｂは、ブッシュ２０の供給開口１２の開口縁部２１、及び、流体空間Ｅの一端Ｅａの一部であるブッシュ２０の外側の外周部２８で構成されている。ブッシュ２０の供給開口１２の開口縁部２１は、先端先細りに傾斜形成されており、流体空間Ｅに突出形成されている。
【００４７】
弁体４０は、接点部Ｔに当接して供給開口１２を閉塞可能な先端部４２を有し、流体空間Ｅの中心軸Ｐに沿う軸線を軸とした棒状に形成されている。弁体４０は、図５に示すように、後述のガイド部材５０の嵌挿孔５３に嵌着される先端部側の大径部４７と、コイルスプリング４１内に挿入されるように大径部４７より細く形成された後端部側の小径部４８とから構成されている。大径部４７と小径部４８との間の段差部４３に、コイルスプリング４１の一端が支承される。また、弁体４０の先端部４２は、供給開口１２の開口縁部２１に対峙し内側に凹む凹部４５を備えて構成されている。凹部４５は、流体空間Ｅの中心軸Ｐに沿う軸線を軸とした円錐状に形成されている。一方、ブッシュ２０で形成された供給開口１２の開口縁部２１は、弁体４０の供給開口１２の閉塞時に凹部４５内に臨み得るように、流体空間Ｅに突出形成されている。
【００４８】
弁体４０の一方電極Ｄａの接点部Ｔに対する接触は、供給開口１２の周囲部１２ｂに対してなされており、図４（ａ）に示すように、先端部４２の凹部４５の内面がブッシュ２０の開口縁部２１の外面に接触し、且つ、凹部４５の周縁部４４が流体空間Ｅの一端Ｅａで構成されたブッシュ２０の開口縁部２１より外側の外周部２８に接触するようにしている。尚、弁体４０の一方電極Ｄａの接点部Ｔに対する接触は、図４（ａ）に示す態様に限定されるものではなく、例えば、図４（ｂ）に示すように、凹部４５の周縁部４４が流体空間Ｅの一端Ｅａで構成されたブッシュ２０の開口縁部２１より外側の外周部２８にのみ接触する態様、図４（ｃ）に示すように、先端部４２の凹部４５の内面のみがブッシュ２０の開口縁部２１の外面に接触する態様になるように各部材の形状や寸法を定めて良い。
【００４９】
また、本流動検知装置Ｋにおいては、図２乃至図６，図８に示すように、弁体４０に付設されて流体空間Ｅ内に設けられる樹脂などの絶縁体からなるガイド部材５０が備えられている。このガイド部材５０には、供給開口１２から吐出開口１５に至る流体の流路を確保して流体空間Ｅの円筒内面１１を摺動可能に形成されるとともに、流体空間Ｅの一端面に対峙して供給開口１２からの流体を受ける受面５１を有し且つ流体空間Ｅの他端面に対峙する天面５２を有して構成されている。
【００５０】
詳しくは、ガイド部材５０には、流体空間Ｅの中心軸Ｐに沿う軸線を軸とし、弁体４０の先端部４２側が先端部４２を突出させて嵌挿されるとともに流体空間Ｅの他端面側にコイルスプリング４１の一端側が収納される嵌挿孔５３が貫通形成されている。ガイド部材５０の中間部外周には、周方向に沿い流体が通過可能な凹所５４が形成されており、ガイド部材５０の流体空間Ｅの一端面側が、受面５１を有し流体空間Ｅの円筒内面１１を摺動可能な一端側摺動面５５ａを有した一端側摺動部５５として構成され、ガイド部材５０の流体空間Ｅの他端面側が、天面５２を有し流体空間Ｅの円筒内面１１を摺動可能な他端側摺動面５６ａを有した他端側摺動部５６として構成されている。弁体４０はガイド部材５０の嵌挿孔５３に嵌挿することにより一体化されるので、製造が容易に行われる。
【００５１】
また、一端側摺動部５５の外側には、受面５１及び凹所５４に亘る流体が通過可能な一端側切欠き５７が形成されている。一端側切欠き５７は、複数（実施の形態では３つ）設けられており、各一端側切欠き５７は、同じ大きさ且つ同じ形状に形成されるとともに軸線を中心に等角度間隔に設けられている。
【００５２】
一方、他端側摺動部５６の外側には、天面５２及び凹所５４に亘る流体が通過可能な他端側切欠き５８が形成されている。他端側切欠き５８は、複数（実施の形態では３つ）設けられており、各他端側切欠き５８は、同じ大きさ且つ同じ形状に形成されるとともに軸線を中心に等角度間隔に設けられている。
【００５３】
また、ガイド部材５０の弁体４０の小径部４８に対応する部位であって凹所５４，一端側切欠き５７及び他端側切欠き５８の少なくとも何れかの部位には、嵌挿孔５３に連通する連通路５９が複数形成されている。実施の形態では、弁体４０の後端部側に小径部４８を設けてコイルスプリング４１の一端側が嵌挿孔５３に収納されるようになっており、ガイド部材５０の凹所５４及び／または他端側切欠き５８のある部位（実施の形態では、他端側切欠き５８から凹所５４の一部に亘る部位）に、連通路５９が複数（３つ）形成されている。
【００５４】
従って、実施の形態に係る流動検知装置Ｋを用いるときは、図１に示すように、例えば、定量バルブ２から潤滑箇所の間の給油管路４に供給口１３と吐出口１６を接続して介装し、検知器５からの配線６を一方電極Ｄａ（本体１０）に、配線７を他方電極Ｄｂに、夫々接続し、検知器５により、一方電極Ｄａ，弁体４０，コイルスプリング４１及び他方電極Ｄｂから構成される電気回路に常時電圧を付与する等して、この電気回路の弁体４０が閉（図２）になったときの接続，開になったとき（図３）の切断を電気的に検出する。
【００５５】
詳しくは、図２に示す弁体４０の閉位置において、流体が供給口１３から供給されると、図３に示すように、流体は供給開口１２から流体空間Ｅに流入し、弁体４０及び弁体４０に付設されたガイド部材５０の受面５１に流体が作用し、ガイド部材５０は流体空間Ｅの円筒内面１１を摺動するので、弁体４０及びガイド部材５０が一体に押し上げられ、弁体４０が開になる。そして、流体の供給口１３からの供給が停止されると、コイルスプリング４１の付勢力により弁体４０及びガイド部材５０は流体空間Ｅの一端面側に移動させられ、図２に示すように、弁体４０は供給開口１２を閉にする。
【００５６】
この場合、流体が供給口１３から供給されると、図３に示すように、ガイド部材５０の受面５１でも流体を受けることから、弁体４０が浮き上がり易くなり、そのため、確実に弁体４０を供給開口１２から離間させることができるようになる。例えば、流体の流量が比較的少量の場合、特に、例えば、０．１ｃｃ以下になる微量の場合、あるいは、流体の流量が比較的多くても、例えば、定量バルブの使用数量が多くなる等の状況下等で流速が遅くなるような場合には、弁体の移動量（リフト量）が極めて小さくなるが、ガイド部材５０の浮き上がりにより確実に弁体４０が押し上げられるので、弁体４０を供給開口１２のある一方電極Ｄａの接点部Ｔから確実に離間させることができ、このため、従来のように、流体が流れても、弁体４０が一方電極Ｄａから全部が離間せずに一部が接触状態を維持し、開（切断）を検知できない事態を防止することができ、検知の信頼性を向上させることができる。また、ガイド部材５０の天面５２が流体空間Ｅの他端面に当接しても、ガイド部材５０は絶縁体で形成されているので、短絡が阻止される。
【００５７】
また、弁体４０の先端部４２に内側に凹む円錐状の凹部４５を形成したので、流体が供給口１３から供給されると、供給開口１２から流入する流体が凹部４５によって跳ね返り、外側に逃げにくくなって流体を受けやすくすることができ、より一層、弁体４０が浮き上がり易くなり、そのため、弁体４０が供給開口１２のある一方電極Ｄａの接点部Ｔから確実に離間させることができる。更に、供給開口１２の開口縁部２１を突出形成したので、弁体４０の凹部４５に流体を集中的に流入させることができ、そのため、より一層、流体を受けやすくして弁体４０を浮き上がり易くすることができ、弁体４０を供給開口１２のある一方電極Ｄａの接点部Ｔから確実に離間させることができる。また、凹部４５の開口の直径よりも供給開口１２の直径が小さくなるので、供給開口１２の直径が凹部４５の開口の直径と略同じ場合に比較して、流体の流速も速くすることができ、この点でも弁体４０を浮き上がり易くすることができ、弁体４０を供給開口１２のある一方電極Ｄａから確実に離間させることができる。このため、より一層、検知の信頼性を向上させることができる。また、弁体４０が戻る際には、凹部４５の開口縁が鋭角になっているので流体をせん断する作用が生じ、それだけ閉動作を円滑に行わせることができる。
【００５８】
更にまた、ガイド部材５０は、供給開口１２から吐出開口１５に至る流体の流路を確保して流体空間Ｅの円筒内面１１を摺動するので、流体を吐出開口１５から吐出口１６に導出させることができる。即ち、弁体４０及びガイド部材５０が流体に押し上げられると、流体は、一端側切欠き５７及び凹所５４を通って吐出開口１５に至って、吐出口１６から吐出される。この場合、凹所５４を設けているので、流体に対する抵抗が小さくなることから、確実に供給開口１２から吐出開口１５へ流体を導くことができる。また、ガイド部材５０は、凹所５４を挟んでその両端に、一端側摺動部５５及び他端側摺動部５６を備えているので、流体の流動によって傾くことが防止され、更に、他端側切欠き５８を通って流体が行き来できるので、弁体４０の開時及び閉時のガイド部材５０の摺動移動を円滑に行わせることができ、そのため、弁体４０の開時において、弁体４０を浮き上がり易くすることができ、弁体４０の閉時においても、ガイド部材５０には、供給開口１２から吐出開口１５に至る流体の流路が確保されているので、弁体４０の戻り動作に支障を生じることがなく、確実に供給開口１２を閉にすることができる。また、嵌挿孔５３にはコイルスプリング４１の一端側が収納されるので、支持が安定し、この点でも、弁体４０及びガイド部材５０の移動を円滑に行わせることができる。
【００５９】
また、各一端側切欠き５７は、同じ大きさ及び形状に形成されて等角度間隔に設けられ、他端側切欠き５８も同じ大きさ及び形状に形成されて等角度間隔に設けられているので、流体の流れが均等になり、そのため、弁体４０の開時において、弁体４０及びガイド部材５０の移動を円滑に行わせつつ、流体の導出を確実に行わせることができる。また、弁体４０の閉時においても、確実に供給開口１２を閉にすることができる。
【００６０】
更に、ガイド部材５０の他端側切欠き５８から凹所５４の一部に亘る部位には、連通路５９が複数（３つ）形成されているので、それだけ、流体に対する抵抗が小さくなることから、流体が行き来し易くなる。そのため、弁体４０の開時において、弁体４０及びガイド部材５０の移動を円滑に行わせつつ、流体の導出を確実に行わせることができる。また、弁体４０の閉時においても、確実に供給開口１２を閉にすることができる。
【００６１】
尚、上記実施の形態において、ブッシュ２０は、本体１０の一般部とは別体に形成されるが、必ずしもこれに限定されるものではなく、本体１０と一体形成されても良く、適宜変更して差支えない。
【００６２】
次に、図示しないが、本発明の上記とは異なる実施の形態に係る流動検知装置Ｋを示す。これは、上記と異なって、ガイド部材５０を導電体で形成して弁体４０と一体形成し、本体１０を導電体のブッシュ２０を除いて絶縁体で形成し、ブッシュ２０のみを一方電極Ｄａとした形態のものである。その場合には、弁体１０と一方電極Ｄａとの接触は、図４（ａ）または図４（ｃ）に示す態様になる。上記と同様の作用，効果を奏する。
【００６３】
図８には、本発明の別の実施の形態に係る流動検知装置Ｋを示す。これは上記と異なって、ブッシュ２０は設けられておらず、金属等の導電体からなる本体１０が一方電極Ｄａを構成している。そのため、供給開口１２の開口縁部２１は、流体空間Ｅに突出形成されることはなく、流体空間Ｅの一端Ｅａに開口している。凹部４５の周縁部４４の外周縁４６（図６）が、一方電極Ｄａの接点部Ｔを構成し流体空間Ｅの一端Ｅａで形成された供給開口１２の開口縁部２１（周囲部１２ｂ）に当接するようになっている。これによっても、上記と略同様の作用，効果を奏する。
【００６４】
図９には、本発明のまた別の実施の形態に係る流動検知装置Ｋを示す。これは図８に示す流動検知装置Ｋと異なって、弁体４０の先端部４２を半球面状に膨出形成したものである。先端部４２の外面が、一方電極Ｄａの接点部Ｔを構成し流体空間Ｅの一端Ｅａで形成された供給開口１２の開口縁１２ａに当接するようになっている。これによっても、ガイド部材５０においては上記と同様の作用，効果を奏する。
【００６５】
図１０には、本発明の更にまた別の実施の形態に係る流動検知装置Ｋを示す。これは図２及び図３に示す流動検知装置Ｋと異なって、弁体４０に上記と同形状のガイド部材５０ａを弁体４０が摺動可能になるように付帯したものである。このガイド部材５０ａには、流体空間Ｅの中心軸Ｐに沿う軸線を軸とし弁体４０が先端部４２を突出させて摺動可能に挿入されるとともに流体空間Ｅの他端面側にコイルスプリング４１の一端側が収納される摺動孔５３ａが貫通形成されている。即ち、上記の流動検知装置Ｋは、弁体４０とガイド部材５０が一体になっているが、本流動検知装置Ｋは弁体４０がガイド部材５０ａに対して摺動可能になっている。
【００６６】
また、図示しないが、本発明の実施の形態に係る流動検知装置Ｋとして、図１０に示す流動検知装置Ｋと同様に、弁体４０をガイド部材５０ａの摺動孔５３ａに対して摺動可能したものにおいて、ガイド部材５０ａを、本体１０あるいは、包持部材３３などに固定して、流体の流入があっても動かないようにした形態のものを挙げることができる。弁体４０の凹部４５においては、上記と同様の作用，効果を奏する。
【００６７】
次に、図１１及び図１２に、本発明の他の実施の形態に係る流動検知装置Ｋを示す。この流動検知装置Ｋは、流体が通過可能な円筒内面１１を有した流体空間Ｅを有した金属等の導電体からなる本体１０を備えている。本体１０には、流体空間Ｅの一端にこの流体空間Ｅの中心軸Ｐを中心とする供給開口１２を有した流体の供給口１３が形成されている。流体空間Ｅの一端Ｅａは、供給開口１２側へ向けて傾斜形成されている。また、本体１０の側部には、流体空間Ｅに連通する吐出開口１５を有した流体の吐出口１６が形成されている。吐出口１６は、本体１０に対してネジ手段１８により着脱可能に取り付けられるアダプタ形状に形成されている。
【００６８】
また、本実施の形態では、本体１０は、流体空間Ｅの一端側に露出する接点部Ｔを有した導電体からなる一方電極Ｄａとして構成されている。一方電極Ｄａへの配線の接続は適宜に行われる。本体１０は、供給開口１２を形成する金属等の導電体からなるブッシュ２０を備えている。ブッシュ２０は、流体空間Ｅの中心軸Ｐを中心とする供給口１３を有したパイプ状の部材であり、供給開口１２側の端部は、先細りに傾斜形成された供給開口１２の開口縁部２１を構成し、流体空間Ｅに突出配置されている。ブッシュ２０の供給開口１２とは反対側の入口開口２２が形成された頭部２３は一般部２４の径よりも大径に形成されている。ブッシュ２０の一般部２４は本体１０に形成され流体空間Ｅの中心軸Ｐと同軸の嵌合孔２５に嵌合している。頭部２３は、嵌合孔２５に連続し嵌合孔２５より大径に形成され本体１０の一端に開口する流体空間Ｅの中心軸Ｐと同軸の入口孔２６内に臨んでいる。
【００６９】
また、本体１０には、流体空間Ｅの他端面側に露出する露出部３０を有するとともに一方電極Ｄａに対して絶縁された金属等の導電体からなる他方電極Ｄｂが設けられている。他方電極Ｄｂは、流体空間Ｅの中心軸Ｐに沿う軸線を軸とした棒状に形成され、一端が流体空間Ｅの他端面側に露出する露出部３０として形成され、他端側が本体１０から突出し雄ネジが形成された接続部３１として形成されている。この他方電極Ｄｂは、樹脂などの絶縁体からなり本体１０にネジ手段３２により着脱可能に設けられる包持部材３３に包持されている。包持部材３３には、流体空間Ｅの中心軸Ｐに沿う軸線を軸とし他方電極Ｄｂの露出部３０が内部に臨み、後述のコイルスプリング４１の他端側が収納されるとともに接続部３１を突出させて包持する包持孔３４が形成されている。他方電極Ｄｂは、包持孔３４に圧入されあるいはネジ止め等により包持孔３４に固定される。接続部３１の雄ネジには、この接続部３１に挿入された配線７（図１）のリング状端子（図示せず）を固定する為のナット３５が螺合されている。
【００７０】
また、流体空間Ｅ内には、流体空間Ｅの中心軸Ｐに沿って移動させられ一方電極Ｄａの接点部Ｔに当接して供給開口１２を閉にし、接点部Ｔから離間して供給開口１２を開にする金属等の導電体からなる弁体４０と、一端が弁体４０に接続され他端が他方電極Ｄｂの露出部３０に接続されて弁体４０を供給開口１２を閉にする方向に常時付勢する金属等の導電体からなるコイルスプリング４１とが収納されている。これにより、本流動検知装置Ｋは、一方電極Ｄａ，弁体４０，コイルスプリング４１及び他方電極Ｄｂから構成される電気回路において、弁体４０が閉になったとき（図２）の接続，開になったとき（図示せず）の切断を電気的に検出することにより、流体の流動を検知できるようにしている。
【００７１】
詳しくは、一方電極Ｄａの接点部Ｔは、上述もしたように、図４に示すように、供給開口１２の開口縁１２ａ及び／またはこの開口縁１２ａの周囲部１２ｂに設けられている。周囲部１２ｂは、ブッシュ２０の供給開口１２の開口縁部２１、及び、流体空間Ｅの一端Ｅａの一部であるブッシュ２０の外側の外周部２８で構成されている。ブッシュ２０の供給開口１２の開口縁部２１は、先端先細りに傾斜形成されており、流体空間Ｅに突出形成されている。
【００７２】
弁体４０は、接点部Ｔに当接して供給開口１２を閉塞可能な先端部４２を有し、流体空間Ｅの中心軸Ｐに沿う軸線を軸とした棒状に形成されている。弁体４０は、図１２に示すように、後述のガイド部材５０の嵌挿孔５３に嵌着され途中に設けられた大径部６０と、コイルスプリング４１内に挿入されるように大径部６０より細く形成された後端部側の小径部６１と、弁体４０の先端部４２と大径部６０との間に設けられた小径部６２とから構成されている。大径部６０と小径部６１との間の段差部６３に、コイルスプリング４１の一端が支承される。大径部６０には、後述の嵌挿孔５３の内面に弾接するＯ−リング６４が被冠されており、Ｏ−リング６４を介して大径部６０は嵌挿孔５３に嵌着されている。
【００７３】
また、弁体４０の先端部４２は、供給開口１２の開口縁部２１に対峙し内側に凹む凹部４５を備えて構成されている。凹部４５は、流体空間Ｅの中心軸Ｐに沿う軸線を軸とした円錐状に形成されている。一方、ブッシュ２０で形成された供給開口１２の開口縁部２１は、弁体４０の供給開口１２の閉塞時に凹部４５内に臨み得るように、流体空間Ｅに突出形成されている。
【００７４】
弁体４０の一方電極Ｄａの接点部Ｔに対する接触は、供給開口１２の周囲部１２ｂに対してなされており、図４（ａ）に示すように、先端部４２の凹部４５の内面がブッシュ２０の開口縁部２１の外面に接触し、且つ、凹部４５の周縁部４４が流体空間Ｅの一端Ｅａで構成されたブッシュ２０の開口縁部２１より外側の外周部２８に接触するようにしている。尚、弁体４０の一方電極Ｄａの接点部Ｔに対する接触は、図４（ａ）に示す態様に限定されるものではなく、例えば、図４（ｂ）に示すように、凹部４５の周縁部４４が流体空間Ｅの一端Ｅａで構成されたブッシュ２０の開口縁部２１より外側の外周部２８にのみ接触する態様、図４（ｃ）に示すように、先端部４２の凹部４５の内面のみがブッシュ２０の開口縁部２１の外面に接触する態様になるように各部材の形状や寸法を定めて良い。
【００７５】
また、本流動検知装置Ｋにおいては、弁体４０に付設されて流体空間Ｅ内に設けられる樹脂などの絶縁体からなるガイド部材５０が備えられている。このガイド部材５０には、供給開口１２から吐出開口１５に至る流体の流路を確保して流体空間Ｅの円筒内面１１を摺動可能に形成されるとともに、流体空間Ｅの一端面に対峙して供給開口１２からの流体を受ける受面５１を有し且つ流体空間Ｅの他端面に対峙する天面５２を有して構成されている。
【００７６】
詳しくは、ガイド部材５０には、流体空間Ｅの中心軸Ｐに沿う軸線を軸とし、弁体４０の先端部４２側が先端部４２を突出させて嵌挿されるとともに流体空間Ｅの他端面側にコイルスプリング４１の一端側が収納される嵌挿孔５３が貫通形成されている。弁体４０の大径部６０はＯ−リング６４を介して嵌挿孔５３に嵌着されている。Ｏ−リングによる嵌着なので、弁体をガイド部材に嵌着しやすくなる。
【００７７】
また、ガイド部材５０の中間部外周には、周方向に沿い流体が通過可能な凹所５４が形成されており、ガイド部材５０の流体空間Ｅの一端面側が、受面５１を有し流体空間Ｅの円筒内面１１を摺動可能な一端側摺動面５５ａを有した一端側摺動部５５として構成され、ガイド部材５０の流体空間Ｅの他端面側が、天面５２を有し流体空間Ｅの円筒内面１１を摺動可能な他端側摺動面５６ａを有した他端側摺動部５６として構成されている。弁体４０はガイド部材５０の嵌挿孔５３に嵌挿することにより一体化されるので、製造が容易に行われる。
【００７８】
また、一端側摺動部５５の外側には、受面５１及び凹所５４に亘る流体が通過可能な一端側切欠き５７が形成されている。一端側切欠き５７は、複数（実施の形態では３つ）設けられており、各一端側切欠き５７は、同じ大きさ且つ同じ形状に形成されるとともに軸線を中心に等角度間隔に設けられている。
【００７９】
一方、他端側摺動部５６の外側には、天面５２及び凹所５４に亘る流体が通過可能な他端側切欠き５８が形成されている。他端側切欠き５８は、複数（実施の形態では３つ）設けられており、各他端側切欠き５８は、同じ大きさ且つ同じ形状に形成されるとともに軸線を中心に等角度間隔に設けられている。
【００８０】
また、ガイド部材５０の弁体４０の小径部６１に対応する部位であって凹所５４，一端側切欠き５７及び他端側切欠き５８の少なくとも何れかの部位には、嵌挿孔５３に連通する連通路７０が複数形成されている。実施の形態では、弁体４０の後端部側に小径部４８を設けてコイルスプリング４１の一端側が嵌挿孔５３に収納されるようになっており、ガイド部材５０の凹所５４及び／または他端側切欠き５８のある部位（実施の形態では、他端側切欠き５８及び凹所５４に跨る部位）に、連通路７０が複数（３つ）形成されている。
【００８１】
更に、ガイド部材５０の弁体４０の小径部６２に対応する部位であって凹所５４，一端側切欠き５７及び他端側切欠き５８の少なくとも何れかの部位には、嵌挿孔５３に連通する連通路７１が複数形成されている。実施の形態では、ガイド部材５０の凹所５４及び／または一端側切欠き５７のある部位（実施の形態では、一端側切欠き５７及び凹所５４に跨る部位）に、連通路７１が複数（３つ）形成されている。
【００８２】
そしてまた、本流動検知装置Ｋにおいては、供給開口１２から供給される流体による弁体４０の一方電極Ｄａの接点部Ｔに対する開動作を許容して、弁体４０を一方電極Ｄａの接点部Ｔに対して磁力により吸引する吸引手段８０が設けられている。吸引手段８０は、弁体４０側に設けられ磁石または磁石に磁着可能な磁着材料からなる第１部材８１と、一方電極Ｄａ側に設けられ第１部材８１を吸引する磁石または磁石に磁着可能な磁着材料からなる第２部材８２とから構成されている。実施の形態では、第１部材８１を弁体４０で構成し、第２部材８２を本体１０に付設している。具体的には、弁体４０（第１部材８１）は、鉄に金メッキを施した磁着材料で構成され、第２部材８２は永久磁石８３で構成されて、ブッシュ２０の頭部２３に付設されている。永久磁石８３（第２部材８２）は、ブッシュ２０の入口開口２２に連通する通孔８４を有したリング状に形成されている。吸引手段８０の吸引力は、導電性コイルスプリング４１とのバランスを考慮し、永久磁石の材質、サイズ、弁体４０の透磁率、弁体４０と永久磁石の距離で調整する。
【００８３】
従って、この他の実施の形態に係る流動検知装置Ｋを用いるときは、基本的には、上述した図１乃至図５に示した流動検知装置Ｋと同様の作用をする。即ち、弁体４０の閉位置において、流体が供給口１３から供給されると、流体は供給開口１２から流体空間Ｅに流入し、弁体４０及び弁体４０に付設されたガイド部材５０の受面５１に流体が作用し、ガイド部材５０は流体空間Ｅの円筒内面１１を摺動するので、弁体４０及びガイド部材５０が一体に押し上げられ、弁体４０が開になる。そして、流体の供給口１３からの供給が停止されると、コイルスプリング４１の付勢力により弁体４０及びガイド部材５０は流体空間Ｅの一端面側に移動させられ、弁体４０は供給開口１２を閉にする。
【００８４】
この場合、流体が供給口１３から供給されると、ガイド部材５０の受面５１でも流体を受けることから、弁体４０が浮き上がり易くなり、そのため、確実に弁体４０を供給開口１２から離間させることができるようになる等、上述したと同様の作用，効果を奏する。特に、ガイド部材５０において、弁体４０の後端部側の連通路７０に加えて弁体４０の先端部側にも連通路７１が形成されるので、それだけ、流体に対する抵抗が小さくなることから、流体が行き来し易くなり、そのため、弁体４０の開時において、弁体４０及びガイド部材５０の移動をより一層円滑に行わせつつ、流体の導出をより一層確実に行わせることができる。また、弁体４０の閉時においても、より一層確実に供給開口１２を閉にすることができる。
【００８５】
また、吸引手段８０を設けたので、吸引手段８０の磁力の吸引においては、吸引力は距離の２乗に反比例することから、弁体４０の閉位置から開位置への移動時においては、吸引力が弱くなるので、弁体４０が浮き上がり易くなり、そのため、確実に弁体４０を供給開口１２から離間させることができるようになる。また、コイルスプリング４１のみでは、たわみ量と荷重が比例関係あることから、弁体４０の開位置から閉位置への戻り特性や、一方電極Ｄａの接点部Ｔに対する押圧力に限界があるが、吸引手段８０の磁力の吸引においては、吸引力は距離の２乗に反比例することから、弁体４０の開位置から閉位置への戻り性能を向上させることができるとともに、一方電極Ｄａの接点部Ｔに対する押圧力を増して接触を確実に確保することができる。即ち、コイルスプリング４１だけの場合、内圧の関係も有り、そっとかぶさるように戻るので接点部Ｔを確実に閉じにくいことがあるが、磁力による吸引時は距離の２乗に反比例して吸引力が増加するため、加速度が生じ、接点部上面の絶縁膜（油膜）を破壊し、接点部Ｔの洗浄効果も生じ、そのため、接点部Ｔを確実に閉じることができる。
【００８６】
図１３には、本発明の他の実施の形態に係る流動検知装置Ｋの変形例を示す。これは、上記と略同様に構成されるが、上記と異なって、本体１０は絶縁樹脂で形成されており、第２部材８２は、Ｎ極面及びＳ極面を有した複数（実施の形態では２つ）の永久磁石、即ち、内部永久磁石８３ａ及び外部永久磁石８３ｂを備えて構成されている。この第２部材８２においては、内部永久磁石８３ａは導電体からなりその磁極方向が流体空間Ｅの中心軸Ｐに沿うように配置され、外部永久磁石８３ｂはその磁極方向が流体空間Ｅの中心軸Ｐに直交する方向に沿うように配置されている。内部永久磁石８３ａは、ブッシュ２０の入口開口２２に連通する通孔８４を有したリング状に形成されており、ブッシュ２０の頭部２３に付設されている。外部永久磁石８３ｂは、円盤状に形成され、本体１０の弁体４０に対応した側面であって、吐出口１６とは反対側の側面に付設されている。また、内部永久磁石８３ａ及び外部永久磁石８３ｂは、Ｎ極面が内向きになりＳ極面が外向きになるように配置されている。尚、磁極面の向きはこれに限定されない。吸引手段８０の吸引力は、導電性コイルスプリング４１とのバランスを考慮し、永久磁石の材質、サイズ、弁体４０の透磁率、弁体４０と永久磁石の距離で調整する。また、本体１０の入口孔２６には、アダプタ８８がネジ込まれており、このアダプタ８８と内部永久磁石８３ａとの間に導電性のコイル８９が介装されている。そして、このアダプタ８８を一方電極Ｄａとしている。
【００８７】
これにより、内部永久磁石８３ａ及び外部永久磁石８３ｂの複数の永久磁石を用いたので、その相乗作用により、吸引力の調整や、コイルスプリング４１とのバランスの調整を行ない易くすることができる。また、永久磁石の磁力及び磁力線の影響範囲を調整できるので、多種多様な性状の流体に対応できるようになる。そして、この例では、内部永久磁石８３ａ及び外部永久磁石８３ｂを上記の配置関係にしたので、内部永久磁石８３ａの吸引力が及ぶ範囲が小さくなり、このことにより、弁体４０が離れ易く、かつ、弁体４０が戻ってきた際は内部永久磁石８３ａの吸引力で確実に閉じることができる。上述もしたように、一般に磁石の吸引力は距離の２乗に反比例するが、外部永久磁石８３ｂの配置関係により、磁石の吸引力が例えば距離の３乗に反比例するような作用が生じ、弁体４０を開きやすく閉じやすくすることができるようになると考えられる。即ち、内部永久磁石８３ａ及び外部永久磁石８３ｂの配置具合によって、内部永久磁石８３ａの磁力線が外部永久磁石８３ｂに取り込まれ、この内部永久磁石８３ａが弁体４０を吸引する影響範囲（磁場、磁界）を小さくできる。よって、僅かな弁体４０のリフト量でも、内部永久磁石８３ａが弁体４０を吸引する力を減らして、弁体４０を確実に開き易くすることができるようになる。また、内部永久磁石８３ａ及び外部永久磁石８３ｂの磁力と配置を調整することで、弁体４０のリスト量とリフト時間（開いている間の時間）を調整できる。また、弁体４０の閉時には内部永久磁石８３ａの吸引力により確実に閉にすることができる。
【００８８】
尚、図１１乃至図１３に示す実施の形態においては、ブッシュ２０は、非磁着体で構成しても良く、永久磁石または磁着材料で構成しても良い。永久磁石で構成した場合には、ブッシュ４０も第２部材８２を構成することになる。また、図１３に示す実施の形態においては、内部永久磁石８３ａ及び外部永久磁石８３ｂの２つの磁石を設けて構成したが、必ずしもこれに限定されるものではなく、磁石を３以上設けても良く、また、磁石の形状，材質や強さなどの性状はどのように定めてもよく、また、磁石の取付け位置は例えば本体１０に埋設するなど、どのように定めても良く、適宜変更して差支えない。
【００８９】
図１４には、本発明のまた他の実施の形態に係る流体の流動検知装置Ｋを示す。これは、上記と略同様に構成されるが、吸引手段８０の構成が異なる。吸引手段８０は、第１部材８１をガイド部材５０の凹所５４に巻回される磁着材料からなるコイル８５で構成し、第２部材８２を本体１０のブッシュ２０に付設される上記と同様の永久磁石８３で構成したものである。ガイド部材５０に巻回されたコイル８５を吸引することで弁体４０を間接的に吸引することができる。
【００９０】
尚、本例においては、弁体４０は、非磁着体で構成しても良く、永久磁石または磁着材料で構成しても良い。永久磁石または磁着材料で構成した場合には、弁体４０も第１部材８１を構成することになる。また、ブッシュ２０は、非磁着体で構成しても良く、永久磁石または磁着材料で構成しても良い。永久磁石で構成した場合には、ブッシュ４０も第２部材８２を構成することになる。
【００９１】
次にまた、図１５に、流体の流動検知装置の変形例を示す。図１５（ａ）に示す流動検知装置Ｋは、図１４に示す流動検知装置Ｋと略同様であるが、第２部材８２を本体１０の外側に付設される半リング状の永久磁石８６で構成したものである。図１５（ｂ）に示す流動検知装置Ｋは、図１４に示す流動検知装置Ｋと略同様であるが、第２部材８２を本体１０の外側に付設されるリング状の永久磁石８７で構成したものである。
【００９２】
図１５（ｃ）に示す流動検知装置Ｋは、図１４に示す流動検知装置Ｋと同様にコイル８５を備えたものであり、第１部材８１を弁体４０及びコイル８５で構成し、第２部材８２をブッシュ２０で構成している。ブッシュ２０は永久磁石で構成されている。
実施の形態に係る流体の流動検知装置Ｋは、図２乃至図５に示すように、流体が通過可能な円筒内面１１を有した流体空間Ｅを有した金属等の導電体からなる本体１０を備えている。本体１０には、流体空間Ｅの一端にこの流体空間Ｅの中心軸Ｐを中心とする供給開口１２を有した流体の供給口１３が形成されている。流体空間Ｅの一端Ｅａは、供給開口１２側へ向けて傾斜形成されている。供給口１３が形成された部位の外側には、給油管路に接続するための雄ネジ１４が形成されている。また、本体１０の側部には、流体空間Ｅに連通する吐出開口１５を有した流体の吐出口１６が形成されている。吐出口１６は、内部に給油管路４への接続用の雌ネジ部１７を有し、本体１０に対してネジ手段１８により着脱可能に取り付けられるアダプタ形状に形成されている。
【００９３】
図１６及び図１７には、本発明の別種の実施の形態に係る流体の流動検知装置Ｋを示す。この流動検知装置Ｋは、流体が通過可能な円筒内面１１を有した流体空間Ｅを有した金属等の導電体からなる本体１０を備えている。本体１０には、流体空間Ｅの一端Ｅａを構成する環状の端部部材１２０が嵌着されており、この端部部材１２０には、流体空間Ｅの中心軸Ｐと同軸の金属等の導電体からなるブッシュ２０が嵌着されている。ブッシュ２０には、流体空間Ｅの中心軸Ｐを中心とする供給開口１２を有した流体の供給口１３が形成されている。供給開口１２側の端部は、先細りに傾斜形成された供給開口１２の開口縁部２１を構成し、流体空間Ｅに突出配置されている。端部部材１２０の流体空間Ｅの一端Ｅａを構成する部位は、供給開口１２側へ向けて傾斜形成されている。また、端部部材１２０には、ブッシュ２０の供給開口１２とは反対側の位置において、上記と同様の吸引手段８０を構成し、後述の第１部材８１としての弁体４０を吸引する第２部材８２としてのリング状の永久磁石８３が嵌着されている。
【００９４】
本体１０の一端側の内側には、雌ネジ１２１が形成されており、この雌ネジ１２１に給油管を接続するための接続部材１２２が螺合して設けけられている。端部部材１２０と接続部材１２２との間には、コイン型のフィルタ１２３が介装されている。
【００９５】
本体１０の他端側であって後述の他方電極Ｄｂより外側には、本体１０を支持し流体空間Ｅの中心軸Ｐに直交する軸線Ｑを軸として相対的に回動可能かつ所要の回動位置でロック可能な支持杆１３０が貫通して設けられている。本体１０には、支持杆１３０が挿入される貫通孔１３１が形成されている、支持杆１３０の本体１０から突出する一端部は、貫通孔１３１より大径の大径部１３２とこの大径部１３２より外側に形成され給油箇所にネジ込まれる雄ネジ１３３とを備えて構成されている。一方、支持杆１３０の本体１０から突出する他端部にはナット１３４が螺合する雄ネジ１３５が形成され、このナット１３４を緩めることにより支持杆１３０は本体１０に対して相対的に回動可能になり、ナット１３４を締め付けることにより支持杆１３０は本体１０に対してロックされる。符号１３６は支持杆１３０と貫通孔１３１との間に介装されたシール用のＯ−リングである。
【００９６】
本体１０には、流体空間Ｅに連通する吐出開口１５を有した流体の吐出口１６が形成されており、具体的には、この吐出口１６は、支持杆１３０に形成されている。吐出口１６の吐出開口１５は支持杆１３０の流体空間Ｅに臨む部位に２箇所形成され、吐出口１６の出口１６ａは支持杆１３０の一端面に形成されている。
【００９７】
本体１０は、流体空間Ｅの一端側に露出する接点部Ｔを有した導電体からなる一方電極Ｄａとして構成されている。また、本体１０には、一方電極Ｄａに対して絶縁された導電体からなる他方電極Ｄｂが設けられている。他方電極Ｄｂは、流体空間Ｅの中心軸Ｐに直交する軸線Ｒを軸とし流体空間Ｅの他端側に露出する露出部１４０を有するとともに一端部１４１及び他端部１４２が本体１０から突出した棒状に形成されている。露出部１４０の中間部は球状に形成されており、即ち、露出部１４０は、後述のコイルスプリング４１の端部が当接する球状体１４０ａを備えて形成されることになる。本体１０には、他方電極Ｄｂが挿通される挿通孔１４３が形成されており、他方電極Ｄｂの挿通孔１４３に対応する部位には、他方電極Ｄｂを包持する絶縁体からなる包持部材１４４が設けられている。包持部材１４４は、挿通孔１４３に液密に嵌着されている。
【００９８】
他方電極Ｄｂの一端部１４１には、挿通孔１４３より大径の止めリング１４５が係着されて抜け止めされている。一方、他方電極Ｄｂの他端部１４２にはナット１４６が螺合する雄ネジ１４７が形成され、このナット１４６を締め付けることにより他方電極Ｄｂは本体１０に対して固定される。他方電極Ｄｂの他端部１４２は、接続部１５０として構成され、接続用の端子１５１が接続される。また、他方電極Ｄｂの接続部１５０には、この接続部１５０とは絶縁された状態で一方電極Ｄａの接続部１５２が設けられる。接続部１５２は、本体１０に接触する接続用の端子１５３で構成されている。端子１５１及び端子１５３は、絶縁体１５４を介して本体１０とナット１４６との間に挾持されている。符号１５５は他方電極Ｄｂの一端部１４１を覆うカバー、符号１５６は他方電極Ｄｂの他端部１４２，ナット１４６，端子１５１及び端子１５３を覆うカバーであり、内部に樹脂製モールドを注入可能に形成されている。
【００９９】
また、流体空間Ｅ内には、流体空間Ｅの中心軸Ｐに沿って移動させられ一方電極Ｄａの接点部Ｔに当接して供給開口１２を閉にし、接点部Ｔから離間して供給開口１２を開にする金属等の導電体からなる弁体４０と、一端が弁体４０に接続され他端が他方電極Ｄｂの露出部１４０の球状体１４０ａに接続されて弁体４０を供給開口１２を閉にする方向に常時付勢する金属等の導電体からなるコイルスプリング４１とが収納されている。これにより、本流動検知装置Ｋは、一方電極Ｄａ，弁体４０，コイルスプリング４１及び他方電極Ｄｂから構成される電気回路において、弁体４０が閉になったときの接続，開になったときの切断を電気的に検出することにより、流体の流動を検知できるようにしている。
【０１００】
一方電極Ｄａの接点部Ｔは、上述もしたように、図４に示すように、供給開口１２の開口縁１２ａ及び／またはこの開口縁１２ａの周囲部１２ｂに設けられている。周囲部１２ｂは、ブッシュ２０の供給開口１２の開口縁部２１、及び、流体空間Ｅの一端Ｅａの一部であるブッシュ２０の外側の外周部２８で構成されている。ブッシュ２０の供給開口１２の開口縁部２１は、先端先細りに傾斜形成されており、流体空間Ｅに突出形成されている。
【０１０１】
弁体４０は、図１８（ａ）に示すように、接点部Ｔに当接して供給開口１２を閉塞可能な先端部４２を有し、流体空間Ｅの中心軸Ｐに沿う軸線を軸とした棒状に形成されている。弁体４０は、後述のガイド部材５０の嵌挿孔５３に嵌着される先端部側の大径部４７と、コイルスプリング４１内に挿入されるように大径部４７より細く形成された後端部側の小径部４８とから構成されている。大径部４７と小径部４８との間の段差部４３に、コイルスプリング４１の一端が支承される。弁体４０の大径部４７はＯ−リング４７ａを介して嵌挿孔５３に嵌着されている。Ｏ−リング４７ａによる嵌着なので、弁体４０をガイド部材５０に嵌着しやすくなる。また、弁体４０の先端部４２は、供給開口１２の開口縁部２１に対峙し内側に凹む凹部４５を備えて構成されている。凹部４５は、流体空間Ｅの中心軸Ｐに沿う軸線を軸とした円錐状に形成されている。一方、ブッシュ２０で形成された供給開口１２の開口縁部２１は、弁体４０の供給開口１２の閉塞時に凹部４５内に臨み得るように、流体空間Ｅに突出形成されている。
【０１０２】
弁体４０の一方電極Ｄａの接点部Ｔに対する接触は、供給開口１２の周囲部１２ｂに対してなされており、図４（ｃ）に示すように、先端部４２の凹部４５の内面のみがブッシュ２０の開口縁部２１の外面に接触するようにしている。尚、弁体４０の一方電極Ｄａの接点部Ｔに対する接触は、例えば、図４（ａ）に示すように、先端部４２の凹部４５の内面がブッシュ２０の開口縁部２１の外面に接触し、且つ、凹部４５の周縁部４４が流体空間Ｅの一端Ｅａで構成されたブッシュ２０の開口縁部２１より外側の外周部２８に接触するようにし、また、例えば、図４（ｂ）に示すように、凹部４５の周縁部４４が流体空間Ｅの一端Ｅａで構成されたブッシュ２０の開口縁部２１より外側の外周部２８にのみ接触する態様になるように各部材の形状や寸法を定めて良い。
【０１０３】
また、本流動検知装置Ｋにおいては、弁体４０に付設されて流体空間Ｅ内に設けられる樹脂などの絶縁体からなるガイド部材５０が備えられている。このガイド部材５０は、図１８に示すように、供給開口１２から吐出開口１５に至る流体の流路を確保して流体空間Ｅの円筒内面１１を摺動可能に形成されるとともに、流体空間Ｅの一端面に対峙して供給開口１２からの流体を受ける受面５１を有し且つ流体空間Ｅの他端面に対峙する天面５２を有して構成されている。ガイド部材５０には、流体空間Ｅの中心軸Ｐに沿う軸線を軸とし、弁体４０の先端部４２側が先端部４２を突出させて嵌挿される嵌挿孔５３が貫通形成されている。ガイド部材５０の周面には、ガイド部材５０の流体空間Ｅの一端面側に流入口１６１を有し流体空間Ｅの他端面側に流出口１６２を有するとともに、周方向に沿う流体が通過する溝状の溝路１６０が形成されている。溝路１６０は、ガイド部材５０の周面に二条設けられ、各溝路１６０は中間の連通路１６３で連通させられている。
【０１０４】
従って、この別種の実施の形態に係る流体の流動検知装置Ｋにおいては、例えば、予め、一方電極Ｄａ及び他方電極Ｄｂに配線（図示せず）を接続しておく。この際は、例えば、端子１５１及び端子１５３に予め配線を接続しておき、この配線が接続された端子１５１及び端子１５３を絶縁体１５４を介して他方電極Ｄｂに装着し、ナット１４６を雄ネジ１４７に螺合して締め付ける。これにより、他方電極Ｄｂは本体１０に対して固定される。この場合、他方電極Ｄｂは流体空間Ｅを横切って配置されることから、他方電極Ｄｂが流体空間Ｅの中心軸Ｐに直交する軸線Ｒを軸として回動して、コイルスプリング４１に対する接触部が変化するが、球状体１４０ａにコイルスプリング４１を当接させるので、他方電極Ｄｂの回動があっても常に球面にコイルスプリング４１を接触させることができ、他方電極Ｄｂの位置調整が不要になり組付けが容易になるとともに、接続の安定を図ることができる。
【０１０５】
その後、他方電極Ｄｂの他端部１４２，ナット１４６，端子１５１及び端子１５３をカバー１５６で覆い、必要に応じ内部に絶縁体の樹脂製モールドを注入する。この場合、一方電極Ｄａ及び他方電極Ｄｂの接続部１５０，１５２を集約して本体１０の側部に設けることができ、それだけ、装置をコンパクトにすることができる。また、この両接続部１５０，１５２を絶縁体の樹脂でモールドすることができ、保護し易くなる。
【０１０６】
そして、この別種の実施の形態に係る流体の流動検知装置Ｋを給油箇所に取り付けるときは、吐出口１６のある支持杆１３０の雄ネジ部１３３を給油箇所にネジ込む。この際は、ナット１３４を緩めて支持杆１３０のロックを解除してこれを取付け、その後、ナット１３４を締め付けてロックする。この場合、支持杆１３０を回動させても、本体１０は一定位置に位置させておくことができるので、スペースの狭いところの取付けの自由度が増し、取付け性を向上させることができる。
【０１０７】
使用の際には、上記と同様に、弁体４０及びガイド部材５０が進退動する。この場合、ガイド部材５０の周方向に沿って溝路１６０を設けたので、流体が通過する抵抗が大きくなり、その分、弁体４０を浮き上がり易くすることができる。特に、流体が低粘度の場合に適する。低粘度なので流体の流通は確保される。また、ガイド部材５０の周面に、周方向に沿う流体が通過する溝状の溝路１６０を形成したので、ガイド部材５０の周方向に沿って流体が通過する。そのため、ガイド部材５０が流体空間Ｅの円筒内面を摺動する毎に、新しい流体との入れ替わりが確実に行われ、例えば、流体がグリスの場合等には固着の心配を解消することができる。他の作用，効果は、上記と同様である。
【０１０８】
図１９及び図２０には、本発明の他の別種の実施の形態に係る流体の流動検知装置Ｋを示す。この流動検知装置Ｋは、上記と同様に構成されるが、上記と異なって、支持杆１３０及びこれが設けられる部位を無くして、吐出口１６を、他方電極Ｄｂの一端側が遊挿されるように本体１０の側部に形成したものである。本体１０の側部には中心軸Ｐに直交する軸線Ｒを軸とした突出部１７０を形成し、この突出部１７０の外周に給油箇所にネジ込まれる雄ネジ１７１を形成し、内部に吐出開口１５及び吐出口１６を形成してある。他方電極Ｄｂの一端は、吐出口１６から突出しており、吐出口１６より大径の大径部１４１ａに形成されている。突出部１７０の端面には吐出口１６に連通する溝１７２が形成してある。
【０１０９】
本体１０には、他方電極Ｄｂの一端側を流体の流路を確保して支持する絶縁体からなる支持部材１７３が設けられている。支持部材１７３は、他方電極Ｄｂの一端部１４１に挿通され、吐出口１６より大径で突出部１７０の端面に当接するリング状の絶縁体１７４とこれを押える止めリング１７５とで構成されている。絶縁体１７４及び止めリング１７５は、ナット１４６の締め付けにより、他方電極Ｄｂの一端部１４１の大径部１４１ａによって突出部１７０の端面に押えられる。吐出口１６の吐出開口１５には他方電極Ｄｂを囲繞し流体の通過する切欠き（図示せず）が形成された別の支持部材１７６が設けられている。これによれば、吐出口１６は他方電極Ｄｂの一端側が位置する部位に形成されるので、他方電極Ｄｂよりも外側に吐出口１６を設ける場合に比較して、装置をコンパクトに形成することができ、スペースの狭いところの取付けの自由度を増すことができる。
【０１１０】
図２１には、本発明のまた他の別種の実施の形態に係る流体の流動検知装置Ｋを示す。この流動検知装置Ｋは、上記と同様に構成されるが、上記と異なって、支持杆１３０及びこれが設けられる部位を無くして、吐出口１６を、流体空間Ｅの他端にこの流体空間Ｅの中心軸Ｐを中心とする吐出開口１５を有して形成した構成としている。供給口１３と吐出口１６とを流体空間Ｅの中心軸Ｐ上に設けることができるので、本体１０をストレートにして用いることができ、取付けの汎用性を向上させることができる。
【０１１１】
図２２及び図２３には、本発明の更にまた他の実施の形態に係る流体の流動検知装置Ｋを示す。この流動検知装置Ｋの基本的構成は、図１１に示す流動検知装置Ｋと同様であるが、異なる点は、本体１０が透明樹脂で形成されており、一方電極Ｄａがブッシュ２０で構成され、更に、ガイド部材５０が弁体４０の先端部側にのみに付帯させられた部材で構成されている。詳しくは、図２４（ａ）（ｂ）に示すように、ガイド部材５０は、例えば、外周に流体が通過可能な軸方向の１つの切欠き５０ｂを備えた円筒状に形成することができる。また、図２４（ｃ）に示すように、ガイド部材５０は、外周に流体が通過可能な軸方向の切欠き５０ｃを等角度関係で複数形成した円筒状に形成することができる。
【０１１２】
そしてまた、本体１０には、弁体４０の開閉を検出するフォトセンサ９０が付帯させられており、このフォトセンサ９０により流体の流動を検知できるようにしている。フォトセンサは、所謂フォトインタラプタ(Photointerrupter)と称され、対向する発光部と受光部を持ち、発光部からの光を物体が遮るのを受光部で検出することによって、物体の有無や位置を判定する周知のセンサである。図２２に示すフォトセンサ９０（Ａ）は、反射型であり、ガイド部材５０は上下方向に白色と黒色に色分けされており、ガイド部材５０を認識することにより弁体４０の開閉を検出する。図２３に示すフォトセンサ９０（Ｂ）は、反射型であり、ガイド部材５０は透明に形成され、弁体４０を認識する。
【０１１３】
尚、図１１乃至図２３に示す流動検知装置Ｋにおいて、第１部材８１と第２部材８２との組合せは、上記に限定されるものではなく、適宜に設定して良い。尚また、図１１乃至図２１に示す流動検知装置Ｋにおいて、図１０に示す流動検知装置Ｋのように、弁体４０をガイド部材５０に対して摺動可能にしても良く、適宜変更して差支えない。
【０１１４】
また、上記実施の形態に係る流体の流動検知装置Ｋにおいて、一方電極Ｄａや他方電極Ｄｂは上述した構成に限定されるものではなく、適宜変更して差支えない。更に、上記実施の形態では、弁体４０の開閉を検出する手段を、電極Ｄａ，Ｄｂによる手段、あるいは、フォトセンサ９０による手段で構成したが、必ずしもこれに限定されるものではなく、例えば、イメージセンサによって検出する手段で構成する等、どのような手段で検出するようにしてもよく、適宜変更して差支えない。イメージセンサは光学式マウス等で使用されており、画像の変化で移動量を算出する。そしてまた、弁体４０やガイド部材５０の形状，大きさ，材質なども、上述したものに限定されるものではなく、当業者は、本発明の新規な教示及び効果から実質的に離れることなく、これら例示である実施の形態に多くの変更を加えることが容易であり、これらの多くの変更は本発明の範囲に含まれる。
【符号の説明】
【０１１５】
Ｋ  流動検知装置
Ｓ  潤滑システム
１  潤滑ポンプ装置
２  定量バルブ
３  潤滑箇所
４  給油管路
５  検知器
６，７  配線
１０  本体
１１  内面
Ｅ  流体空間
Ｐ  中心軸
１２  供給開口
１２ａ  開口縁
１２ｂ  周囲部
１３  供給口
１５  吐出開口
１６  吐出口
２０  ブッシュ
Ｄａ  一方電極
Ｔ  接点部
２１  開口縁部
Ｄｂ  他方電極
２８  外周部
３０  露出部
３１  接続部
３３  包持部材
３４  包持孔
３５  ナット
４０  弁体
４１  コイルスプリング
４２  先端部
４３  段差部
４４  周縁部
４５  凹部
４６  外周縁
４７  大径部
４８  小径部
５０  ガイド部材
５１  受面
５２  天面
５３  嵌挿孔
５４  凹所
５５  一端側摺動部
５５ａ  一端側摺動面
５６  他端側摺動部
５６ａ  他端側摺動面
５７  一端側切欠き
５８  他端側切欠き
５９  連通路
５０ａ  ガイド部材
５３ａ  摺動孔
６０  大径部
６１  小径部
６２  小径部
６３  段差部
６４  Ｏ−リング
７０  連通路
７１  連通路
８０  吸引手段
８１  第１部材
８２  第２部材
８３  永久磁石
８３ａ  内部永久磁石
８３ｂ  外部永久磁石
８５  コイル
８６  永久磁石
８７  永久磁石
９０  フォトセンサ
９１  アダプタ（一方電極Ｄａ）
９２  コイル
１２０  端部部材
１２２  接続部材
１２３  フィルタ
１３０  支持杆
Ｑ  軸線
１３１  貫通孔
１３４  ナット
Ｒ  軸線
１４０  露出部
１４０ａ  球状体
１４１  一端部
１４２  他端部
１４３  挿通孔
１４４  包持部材
１４５  止めリング
１４６  ナット
１５０  接続部
１５１  接続用の端子
１５２  接続部
１５３  接続用の端子
１６０  溝路
１７０  突出部
１７３  支持部材
１７６  支持部材
【図１】
2018085317.tif 000003
【図２】
2018085317.tif 000004
【図３】
2018085317.tif 000005
【図４】
2018085317.tif 000006
【図５】
2018085317.tif 000007
【図６】
2018085317.tif 000008
【図７】
2018085317.tif 000009
【図８】
2018085317.tif 000010
【図９】
2018085317.tif 000011
【図１０】
2018085317.tif 000012
【図１１】
2018085317.tif 000013
【図１２】
2018085317.tif 000014
【図１３】
2018085317.tif 000015
【図１４】
2018085317.tif 000016
【図１５】
2018085317.tif 000017
【図１６】
2018085317.tif 000018
【図１７】
2018085317.tif 000019
【図１８】
2018085317.tif 000020
【図１９】
2018085317.tif 000021
【図２０】
2018085317.tif 000022
【図２１】
2018085317.tif 000023
【図２２】
2018085317.tif 000024
【図２３】
2018085317.tif 000025
【図２４】
2018085317.tif 000026
【図２５】
2018085317.tif 000027